(57)【要約】  ３以上の変換比を持ちながらも撮像装置の厚み方向に対し十分に薄いテレコンバータレンズ及び撮像光学系を提供する。テレコンバータレンズ(ＣＬ)に入射した光束はテレコンバータレンズ(ＣＬ)内で対物部により１次結像した後にリレー部を介して主レンズ(ＭＬ)に入射するようになっており、対物部は被写体側から順に、正の屈折力を有する第１レンズ群(ＧＲ１（＋）)、負の屈折力を有する負レンズ群(ＧＲ（−）)を含み、リレー部は、主レンズ側から順に、正の屈折力を有するＰ２レンズ、光路を折り曲げるための反射光学素子を含む。又、第１の正レンズ群(ＧＲ１（＋）)は、２枚以下のレンズからなる。
2013154122.tif 000002
【特許請求の範囲】
【請求項１】
主レンズより被写体側に装着され、前記主レンズの焦点距離を変換可能なテレコンバータレンズにおいて、
前記テレコンバータレンズに入射した光束は対物部によって１次結像した後にリレー部を介して前記主レンズに入射するようになっており、
前記対物部は、被写体側から順に配置された、正の屈折力を有する第１の正レンズ群、負の屈折力を有する負レンズ群を含み、
前記リレー部は、前記主レンズ側から順に配置された、正の屈折力を有するＰ２レンズ、光路を折り曲げるための反射光学素子を含み、前記第１の正レンズ群は、２枚以下のレンズからなることを特徴とするテレコンバータレンズ。
【請求項２】
前記第１の正レンズ群は、正の屈折力を有するＰ２レンズからなることを特徴とする請求項１に記載のテレコンバータレンズ。
【請求項３】
前記Ｐ２レンズは（１）式を満たすことを特徴とする請求項２に記載のテレコンバータレンズ。
０．５  ＜  ｆＰ２  ／  ｆＯ  ＜  １．５      （１）
ただし、
ｆＰ２：前記Ｐ２レンズの焦点距離
ｆＯ：前記対物部の焦点距離
【請求項４】
前記Ｐ２レンズは（２）式を満たすことを特徴とする請求項２又は３に記載のテレコンバータレンズ。
ｖＰ２  ＞  ６０    （２）
ただし、
ｖＰ２：前記Ｐ２レンズのアッベ数
【請求項５】
前記第１の正レンズ群は、負レンズ１枚と正レンズ１枚からなることを特徴とする請求項１に記載のテレコンバータレンズ。
【請求項６】
前記第１の反射光学素子より前記主レンズ側に、前記負レンズ群、開口絞り、第２の正レンズ群を有することを特徴とする請求項１〜５のいずれかに記載のテレコンバータレンズ。
【請求項７】
前記負レンズ群は（３）式を満たすことを特徴とする請求項６に記載のテレコンバータレンズ。
−１．３  ＜  ｆＧＮ  ／  ｆＯ  ＜  −０．２      （３）
但し
ｆＧＮ：前記負レンズ群の焦点距離
ｆＯ：前記対物部の焦点距離
【請求項８】
前記負レンズ群は、負の屈折力を有するＮ１レンズと正の屈折力を有するＰ３レンズの接合レンズからなることを特徴とする請求項６又は７に記載のテレコンバータレンズ。
【請求項９】
（４）式を満たすことを特徴とする請求項８に記載のテレコンバータレンズ。
２０  ＜  ｖＰ３  −  ｖＮ１  ＜  ２９      （４）
但し
ｖｐ３：前記Ｐ３レンズのアッベ数
ｖＮ１：前記Ｎ１レンズのアッベ数
【請求項１０】
前記第２の正レンズ群は（５）式を満たすことを特徴とする請求項６〜９のいずれかに記載のテレコンバータレンズ。
０．３  ＜  ｆＧＰ  ／  ｆＯ  ＜  ２．０      （５）
但し
ｆＧＰ：前記第２の正レンズ群の焦点距離
【請求項１１】
前記第２の正レンズ群は、正の屈折力を有するＰ４レンズと負の屈折力を有するＮ２レンズの接合レンズからなることを特徴とする請求項６〜１０のいずれかに記載のテレコンバータレンズ。
【請求項１２】
前記第２の正レンズ群は（６）式を満たすことを特徴とする請求項１１に記載のテレコンバータレンズ。
６  ＜  ｖＮ２  −  ｖＰ４  ＜  ３５      （６）
但し
ｖｐ４：前記Ｐ４レンズのアッベ数
ｖＮ２：前記Ｎ２レンズのアッベ数
【請求項１３】
前記第２の正レンズ群より主レンズ側に、負の屈折力を有するＮ３レンズ、被写体側に凹面を向けたメニスカスレンズ、正の屈折力を有するＰ５レンズが配置されてなることを特徴とする請求項６〜１２のいずれかに記載のテレコンバータレンズ。
【請求項１４】
前記最も主レンズ側に正の屈折力を有するＰ１レンズを有し、（７）式を満たすことを特徴とする請求項１〜１３のいずれかに記載のテレコンバータレンズ。
１．０  ＜  ｆＰ１  ／  ｆＲ  ＜  ２．１    （７）
但し  
ｆＰ１：前記Ｐ１レンズの焦点距離
ｆＲ：前記リレー部の焦点距離
【請求項１５】
前記リレー部を構成する屈折力を有する光学素子は２枚であることを特徴とする請求項１〜１４のいずれかに記載のテレコンバータレンズ。
【請求項１６】
光路折り曲げのための反射回数が２回以下であることを特徴とする請求項１〜１５のいずれかに記載のテレコンバータレンズ。
【請求項１７】
被写体距離が変化した際の焦点位置ずれを、前記テレコンバータレンズ内の一部のレンズを光軸方向に移動させることで補正することを特徴とする請求項１〜１６のいずれかに記載のテレコンバータレンズ。
【請求項１８】
（８）式を満たすことを特徴とする請求項１〜１７のいずれかに記載の撮像装置。
３  ＜  ｆＴＯ  ／  ｆＭ  ＜  ５．５
但し
ｆＴＯ：前記コンバータレンズを前記主レンズの被写体側に配置した状態の、全系の焦点距離
ｆＭ：前記主レンズの焦点距離
【請求項１９】
請求項１〜１８のいずれかに記載のテレコンバータレンズを搭載したことを特徴とする撮像装置。
【発明の詳細な説明】
【技術分野】
【０００１】
本発明は、テレコンバータレンズ及び撮像装置に関し、特に撮像装置等に備えられた主レンズ前方に装着することにより、主レンズの焦点距離を望遠側に変化させることのできるテレコンバータレンズ及びそれを搭載した撮像装置に関する。
【背景技術】
【０００２】
例えば撮影機器に設けられた撮影レンズの前方に位置させる事で、撮影レンズの焦点距離を望遠側に変化させさせることのできるテレコンバータレンズが、特許文献１、２に開示されている。
【先行技術文献】
【特許文献】
【０００３】
【特許文献１】特開２００３−２４１０８７号公報
【特許文献２】特開２０００−１３１６０９号公報
【発明の概要】
【発明が解決しようとする課題】
【０００４】
ところで、近年、スマートフォンをはじめとする携帯端末が発売され、急速に拡大している。かかる携帯端末は、一般的に撮像装置を搭載し、これにより撮像した画像を転送したり、携帯端末上で画像処理を行うなど種々の用い方がなされている。しかるに、一般的な携帯端末は薄形であることから、それに内蔵される撮像装置はコンパクト化が厳しく要求されている。このため、携帯端末に搭載されている撮像装置には単焦点の光学系が搭載されており、単体では困難であるが、ユーザーによっては、遠方の被写体などを大きく撮像したいという希望もあり、例えば特許文献１，２に示すようなテレコンバータレンズを取り付けられないかという要請がある。【０００５】
しかしながら、特許文献１，２のテレコンバータレンズは光学系の全長や径寸法が大きいので、携帯端末の撮像装置における主レンズの被写体側に突き出すようにして取り付けることになり、これにより撮影時の取り扱い性や携帯性に難点が生じていた。【０００６】
本発明は、かかる問題点に鑑み、３以上の変換比を持ちながらも撮像装置の厚み方向に対し十分に薄いテレコンバータレンズ及びそれを搭載した撮像装置を提供することを目的とする。
【課題を解決するための手段】
【０００７】
請求項１に記載のテレコンバータレンズは、主レンズより被写体側に装着され、前記主レンズの焦点距離を変換可能なテレコンバータレンズにおいて、前記テレコンバータレンズに入射した光束は対物部によって１次結像した後にリレー部を介して前記主レンズに入射するようになっており、前記対物部は、被写体側から順に配置された、正の屈折力を有する第１の正レンズ群、負の屈折力を有する負レンズ群を含み、前記リレー部は、前記主レンズ側から順に配置された、正の屈折力を有するＰ２レンズ、光路を折り曲げるための反射光学素子を含み、前記第１の正レンズ群は、２枚以下のレンズからなることを特徴とする。【０００８】
本発明のテレコンバータレンズは、いわゆるケプラー型と呼ばれる、再結像光学系を採用する事で、１次結像を伴わないガリレオ型に比べ、光学系を小径化する事が出来る。さらにプリズム等の反射光学素子で光路を折り曲げる屈曲光学系とすることで、光学系の径方向を撮像装置の厚み方向に合わせることができ、撮像装置を搭載した装置の薄型化に寄与する。また、最も被写体側に第１の正レンズ群を配することで、焦点距離に比し全長の短い小型の対物部を得ることが出来る。さらに、焦点距離の望遠化により入射瞳系が増大しても、第１の正レンズ群で光束を細くできるため、第１の正レンズ群以降での軸上光線高さを比較的低くでき、球面収差や軸上色収差等の発生を小さく抑えることが可能である。また、リレー部に、主レンズ側から順に、正の屈折力を有するＰ１レンズ、反射光学素子と配置することで、主レンズの結像位置から光線を逆追跡した場合、主レンズからの軸外光束を正の屈折力を有するレンズによる屈折で光線高を低く抑えることが出来、その後に続く反射光学素子の径も小さく抑えることが出来、光学系の小型化に寄与する。特に撮像装置の厚み方向の薄型化に効果的である。前記正の第1レンズ群を2枚以下のレンズで構成することにより、3枚以上で構成する時よりも薄型化に寄与する。【０００９】
請求項２に記載のテレコンバータレンズは、請求項１に記載の発明において、前記第１の正レンズ群は、正の屈折力を有するＰ２レンズからなることを特徴とする。【００１０】
前記正レンズ群を１枚の屈折力を有するＰ２レンズとすることで、光路折り曲げ時のコンバータレンズ及び撮像装置をより薄くすることができる。【００１１】
請求項３に記載のテレコンバータレンズは、請求項２に記載の発明において、前記Ｐ２レンズは（１）式を満たすことを特徴とする。
０．５  ＜  ｆＰ２  ／  ｆＯ  ＜  １．５      （１）
ただし、
ｆＰ２：前記Ｐ２レンズの焦点距離
ｆＯ：前記対物部の焦点距離【００１２】
（１）式の値が下限を上回ることで、前記Ｐ２レンズの屈折力が強くなりすぎないので、このＰ２レンズで発生する球面収差、コマ収差、非点収差等の諸収差の発生が大きくなり過ぎず、また、レンズの加工誤差やレンズの鏡胴への組み込み誤差が発生したときの光学性能変化が比較的小さくて済む。一方、（１）式の値が上限を下回ることで、前記Ｐ２レンズの屈折力が弱くなり過ぎることによる、光学系の大型化を防ぐことが出来る。【００１３】
請求項４に記載のテレコンバータレンズは、請求項２又は３に記載の発明において、前記Ｐ２レンズは（２）式を満たすことを特徴とする。
ｖＰ２  ＞  ６０    （２）
ただし、
ｖＰ２：前記Ｐ２レンズのアッベ数【００１４】
前記Ｐ２レンズのアッベ数が（２）式を満たすことにより、前記Ｐ２レンズの色分散を小さく出来るので、前記Ｐ２レンズで発生する軸上色収差や倍率色収差の発生を小さく抑え、良好な光学性能を得ることが出来る。【００１５】
請求項５に記載のテレコンバータレンズは、請求項１に記載の発明において、前記第１の正レンズ群は、負レンズ１枚と正レンズ１枚からなることを特徴とする。【００１６】
前記第１の正レンズ群を負レンズ１枚と正レンズ１枚で構成することにより、光路折り曲げ時のコンバータレンズ及び撮像装置を厚くし過ぎることなく、ここで発生する色収差や球面収差等を良好に補正することができる。【００１７】
請求項６に記載のテレコンバータレンズは、請求項１〜５のいずれかに記載の発明において、前記第１の反射光学素子より前記主レンズ側に、前記負レンズ群、開口絞り、第２の正レンズ群を有することを特徴とする。【００１８】
前記対物部を被写体側から順に、第１の正レンズ群、負レンズ群、第２の正レンズ群という配置とし、開口絞りを負レンズ群と第２の正レンズ群間に配置することで、前玉径が大きくなり過ぎず、諸収差が良好に補正された光学系を得ることが出来る。【００１９】
請求項７に記載のテレコンバータレンズは、請求項６に記載の発明において、前記負レンズ群は（３）式を満たすことを特徴とする。
−１．３  ＜  ｆＧＮ  ／  ｆＯ  ＜  −０．２      （３）
但し
ｆＧＮ：前記負レンズ群の焦点距離
ｆＯ：前記対物部の焦点距離【００２０】
（３）式の値が上限を下回ることで、前記負レンズ群の屈折力が強くなり過ぎないので、ここで発生する球面収差、コマ収差や色収差等の諸収差を小さく抑えることが出来、また、レンズの加工誤差やレンズの鏡胴への組み込み誤差が発生したときの光学性能変化が比較的小さくて済む。一方、（３）式の値が下限を上回ることで、前記負レンズ群の屈折力が弱くなり過ぎることによる、光学系の大型化を防ぐことが出来る。【００２１】
請求項８に記載のテレコンバータレンズは、請求項６又は７に記載の発明において、前記負レンズ群は、負の屈折力を有するＮ１レンズと正の屈折力を有するＰ３レンズの接合レンズからなることを特徴とする。【００２２】
前記負レンズ群を、負レンズと正レンズの接合レンズとすることで、色収差を良好に補正することができ、またレンズの鏡胴への組み込み時の群数を減らして生産性を高めたりすることが可能である。【００２３】
請求項９に記載のテレコンバータレンズは、請求項８に記載の発明において、（４）式を満たすことを特徴とする。
２０  ＜  ｖＰ３  −  ｖＮ１  ＜  ２９      （４）
但し
ｖｐ３：前記Ｐ３レンズのアッベ数
ｖＮ１：前記Ｎ１レンズのアッベ数【００２４】
（４）式の値が下限を上回ることにより、短波長側のアンダーな軸上色収差や像高が高くなる倍率色収差を抑えることができる。一方、（４）式の値が上限を下回ることにより、短波長側のオーバーな軸上色収差や像高が低くなる倍率色収差を抑えることができる。【００２５】
請求項１０に記載のテレコンバータレンズは、請求項６〜９のいずれかに記載の発明において、前記第２の正レンズ群は（５）式を満たすことを特徴とする。
０．３  ＜  ｆＧＰ  ／  ｆＯ  ＜  ２．０      （５）
但し
ｆＧＰ：前記第２の正レンズ群の焦点距離【００２６】
（５）式の値が下限を上回ることで、前記第２の正レンズ群の屈折力が強くなり過ぎないので、ここで発生する球面収差、コマ収差や色収差等の諸収差を小さく抑えることが出来、また、レンズの加工誤差やレンズの鏡胴への組み込み誤差が発生したときの光学性能変化が比較的小さくて済む。一方、（５）式の値が上限を下回ることで、前記第２の正レンズ群の屈折力が弱くなり過ぎることによる、光学系の大型化を防ぐことが出来る。【００２７】
請求項１１に記載のテレコンバータレンズは、請求項６〜１０のいずれかに記載の発明において、前記第２の正レンズ群は、正の屈折力を有するＰ４レンズと負の屈折力を有するＮ２レンズの接合レンズからなることを特徴とする。【００２８】
前記第２の正レンズ群を、正レンズと負レンズの接合レンズとすることで、色収差を良好に補正することができたり、レンズの鏡胴への組み込み時の群数を減らして生産性を高めたりすることが可能である。【００２９】
請求項１２に記載のテレコンバータレンズは、請求項１１に記載の発明において、前記第２の正レンズ群は（６）式を満たすことを特徴とする。
６  ＜  ｖＮ２  −  ｖＰ４  ＜  ３５      （６）
但し
ｖｐ４：前記Ｐ４レンズのアッベ数
ｖＮ２：前記Ｎ２レンズのアッベ数【００３０】
（６）式の値が下限を上回ることにより、短波長側のオーバーな軸上色収差や像高が高くなる倍率色収差を抑えることができる。一方、（６）式の値が上限を下回ることにより、短波長側のアンダーな軸上色収差や像高が低くなる倍率色収差を抑えることができる。【００３１】
請求項１３に記載のテレコンバータレンズは、請求項６〜１２のいずれかに記載の発明において、前記第２の正レンズ群より主レンズ側に、負の屈折力を有するＮ３レンズ、被写体側に凹面を向けたメニスカスレンズ、正の屈折力を有するＰ５レンズが配置されてなることを特徴とする。【００３２】
前記第２の正レンズ群を通過する光線高さは比較的低いため、前記第２の正レンズ群より主レンズ側に負の屈折力を有するＮ３レンズを配し、このＮ３レンズの発散効果で光線を跳ね上げ、次に後続の前記メニスカスレンズにより、短い機械的寸法の中でさらに光線高を高くするとともに、被写体側に凹面を向けることで、前記メニスカスレンズへの入射角を小さくし、ここで発生する収差も小さく抑えている。さらに正の屈折力を有するＰ５レンズを配することで光線高を前記リレー部の物体高に合わせこむ事が出来た結果、前記対物部の射出瞳の像を、前記リレー部の入射瞳位置に形成することができ、互いに共役関係となり、１次結像点の前後の光学系の軸外光束をケラレなく効率よく伝達することが出来る。【００３３】
請求項１４に記載のテレコンバータレンズは、請求項１〜１３までのいずれかに記載の発明において、前記最も主レンズ側に正の屈折力を有するＰ１レンズを有し、（７）式を満たすことを特徴とする。
１．０  ＜  ｆＰ１  ／  ｆＲ  ＜  ２．１    （７）
但し  
ｆＰ１：前記Ｐ１レンズの焦点距離
ｆＲ：前記リレー部の焦点距離【００３４】
（７）式の値が下限を上回ることで、前記Ｐ１レンズの屈折力が強くなり過ぎないので、ここで発生する諸収差を小さく抑えられるとともに、レンズの加工誤差やレンズの鏡胴への組み込み誤差が発生したときの光学性能変化が比較的小さくて済む。一方、（７）式の値が上限を上回ることで、前記Ｐ１レンズの屈折力を確保することが出来、光学系の大型化を防ぐことが出来るので好ましい。【００３５】
請求項１５に記載のテレコンバータレンズは、請求項１〜１４までのいずれかに記載の発明において、前記リレー部を構成する屈折力を有する光学素子は２枚であることを特徴とする。【００３６】
前記リレー部を、３枚以上のレンズで構成するときよりも光学系が簡素となり、小型化や軽量化に寄与する一方、１枚のレンズで構成するときよりも、歪曲収差等の発生量が小さく、良好な光学性能を得ることが出来る。【００３７】
請求項１６に記載のテレコンバータレンズは、請求項１〜１５のいずれに記載の発明において、光路折り曲げのための反射回数が２回以下であることを特徴とする。【００３８】
光路折り曲げのための反射回数を２回以下とすることにより、構造が複雑になったり、反射面の製造誤差による光学性能の変化が顕著にならず、比較的良好な生産性を確保することが出来る。【００３９】
請求項１７に記載のテレコンバータレンズは、請求項１〜１６のいずれに記載の発明において、被写体距離が変化した際の焦点位置ずれを、前記テレコンバータレンズ内の一部のレンズを光軸方向に移動させることで補正することを特徴とする。【００４０】
装着した結果、全系の焦点距離が長くなるテレコンバータにおいては、主レンズのみの繰り出しで合焦する際の合焦可能被写体距離が、主レンズ単体時の合焦可能距離よりも遠距離になってしまう。しかし、テレコンバータレンズ内のレンズを移動させることにより合焦を行うことができれば、より近い被写体距離での撮影が可能となり、撮影距離の範囲が広がる。【００４１】
請求項１８に記載のテレコンバータレンズは、請求項１〜１７のいずれに記載の発明において、（８）式を満たすことを特徴とする。
３  ＜  ｆＴＯ  ／  ｆＭ  ＜  ５．５
但し
ｆＴＯ：前記コンバータレンズを前記主レンズの被写体側に配置した状態の、全系の焦点距離
ｆＭ：前記主レンズの焦点距離【００４２】
（８）式を満たすことで、前記テレコンバータを装着した際、焦点距離が長くなるため、遠距離物体をより拡大することができ、また被写体以外の背景を大きくぼかしてポートレート撮影等を効果的に行うことができる、等の利点がある。【００４３】
請求項１９に記載の撮像装置は、請求項１〜１８のいずれかに記載のテレコンバータレンズを搭載したことを特徴とする。
【発明の効果】
【００４４】
本発明によれば、３以上の変換比を持ちながらも撮像装置の厚み方向に対し十分に薄いテレコンバータレンズ及び撮像装置を提供することができる。
【図面の簡単な説明】
【００４５】
【図１】本実施形態にかかる撮像光学系を携帯端末に取り付けた状態を示す斜視図である。
【図２】実施例１の撮像光学系の断面図である。
【図３】実施例１の撮像光学系の収差図（球面収差（ａ）、非点収差（ｂ）、歪曲収差（ｃ））である。
【図４】実施例２の撮像光学系の断面図である。
【図５】実施例２の撮像光学系の収差図（球面収差（ａ）、非点収差（ｂ）、歪曲収差（ｃ））である。
【図６】実施例３の撮像光学系の断面図である。
【図７】２回折り曲げタイプとした実施例３の撮像光学系の断面図である。
【図８】実施例３の撮像光学系の収差図（球面収差（ａ）、非点収差（ｂ）、歪曲収差（ｃ））である。
【図９】実施例４の撮像光学系の断面図である。
【図１０】実施例４の撮像光学系の収差図（球面収差（ａ）、非点収差（ｂ）、歪曲収差（ｃ））である。
【図１１】実施例５の撮像光学系の断面図である。
【図１２】実施例５の撮像光学系の収差図（球面収差（ａ）、非点収差（ｂ）、歪曲収差（ｃ））である。
【図１３】実施例６の撮像光学系の断面図である。
【図１４】実施例６の撮像光学系の収差図（球面収差（ａ）、非点収差（ｂ）、歪曲収差（ｃ））である。
【図１５】実施例７の撮像光学系の断面図である。
【図１６】実施例７の撮像光学系収差図（球面収差（ａ）、非点収差（ｂ）、歪曲収差（ｃ））である。
【図１７】実施例８の撮像光学系の断面図である。
【図１８】実施例８の撮像光学系の収差図（球面収差（ａ）、非点収差（ｂ）、歪曲収差（ｃ））である。
【図１９】実施例９の撮像光学系の断面図である。
【図２０】実施例９の撮像光学系収差図（球面収差（ａ）、非点収差（ｂ）、歪曲収差（ｃ））である。
【図２１】実施例１０の撮像光学系の断面図である。
【図２２】実施例１０の撮像光学系の収差図（球面収差（ａ）、非点収差（ｂ）、歪曲収差（ｃ））である。
【図２３】主レンズの収差図（球面収差（ａ）、非点収差（ｂ）、歪曲収差（ｃ））である。
【発明を実施するための形態】
【００４６】
以下、本発明の実施形態を図面に基づいて説明する。図１は、本実施形態にかかる撮像光学系を携帯端末に取り付けた状態を示す斜視図である。例えば薄形のスマートフォンである携帯端末ＳＦは、主レンズＭＬを備えた撮像装置（不図示）を内蔵している。主レンズＭＬは、その被写体側面を携帯端末ＳＦの前方側（図１で手前側）に向けている。
【００４７】
テレコンバータレンズＣＬは、携帯端末ＳＦの矩形板状のボディＢＤに沿って取り付けた細長い筐体ＢＸ内に、配置されている。尚、ボディＢＤと別ユニットとして形成され、ボディＢＤに装着されていても良いし、ボディＢＤの一部であっても良い。テレコンバータレンズＣＬの最も被写体側の面は、本例では筐体ＢＸの一端から被写体側に向かって露出している。一方、テレコンバータレンズＣＬの最も主レンズ側の面は、主レンズＭＬに同軸に対向している。テレコンバータレンズＣＬと主レンズＭＬとで撮像光学系を構成する。
【００４８】
テレコンバータレンズＣＬは対物部とリレー部とで構成され、テレコンバータレンズＣＬに入射した光束はテレコンバータレンズＣＬ内で対物部により１次結像した後にリレー部を介して主レンズＭＬに入射するようになっている。また、コンバータレンズＣＬは光路を折り曲げるための反射光学素子を有している。テレコンバータレンズＣＬ及び主レンズＭＬを通過した被写体光は、不図示の撮像素子に受光されて電気信号に変換される。尚、テレコンバータレンズＣＬを取り外した状態で、主レンズＭＬのみでも被写体を撮像することができるが、テレコンバータレンズＣＬを取り付けることで、より長い焦点距離を備えた撮像光学系となる。
【００４９】
携帯端末ＳＦ背面のモニタ（不図示）は、撮像素子から出力された電気信号に基づいて画像表示を行い、電子ファインダとして機能し、撮像画像を、ほぼリアルタイムに表示する。この状態で、随時、撮影者による入力に基づいて、テレコンバータレンズＣＬ及び／又は主レンズＭＬのレンズ駆動により合焦、露出等が設定される。更に、静止画撮影を行ないたいタイミングで、ユーザーがレリーズ操作を行うことにより、静止画像が撮影される。これにより画像データがメモリに記録される。
【００５０】
なお、上記実施形態及び各実施例における記述は、本発明に係る好適な例であり、これに限定されるものではない。又、本テレコンバータレンズはデジタルスチルカメラやビデオカメラにも適用可能である。
【００５１】
（実施例）
次に、上述した実施形態に好適な実施例について説明する。但し、以下に示す実施例により本発明が限定されるものではない。
ｆ：全系の焦点距離
Ｒ  ：曲率半径（ｍｍ）
ｄ  ：軸上面間隔（ｍｍ）
ｎd：レンズ材料のｄ線に対する屈折率
νd：レンズ材料のアッベ数
【００５２】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。以下の表中の単位は寸法がｍｍ、角度が°である。
【００５３】
【数１】
2013154122.tif 000003
ただし、
Ａｉ：ｉ次の非球面係数
Ｒ  ：曲率半径
Ｋ  ：円錐定数
【００５４】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。図２は、実施例１の撮像光学系の断面図である。テレコンバータレンズＣＬは、被写体側から順に、正の屈折力を有する第１の正レンズ群ＧＲ１（＋）、負の屈折力を有する負レンズ群ＧＲ（−），第２の正レンズ群ＧＲ２（＋）及びその他のレンズ群を有する。具体的には、テレコンバータレンズＣＬは、第１の正レンズ群ＧＲ１（＋）を構成する正の屈折力を有する第１レンズＬ１（Ｐ２レンズ）と、反射光学素子である第１プリズムＰＳ１と、負の屈折力を有する第２レンズＬ２（Ｎ１レンズ）と正の屈折力を有する第３レンズＬ３（Ｐ３レンズ）とを接合した接合レンズからなる負レンズ群ＧＲ（−）と、正の屈折力を有する第４レンズＬ４（Ｐ４レンズ）と負の屈折力を有する第５レンズＬ５（Ｎ２レンズ）とを接合した接合レンズからなる第２の正レンズ群ＧＲ２（＋）と、第６レンズＬ６と、第７レンズＬ７と、第８レンズＬ８と、反射光学素子である第２プリズムＰＳ２と、第９レンズＬ９（Ｐ１レンズ）とからなる。ＭＬは、撮像装置に備えられた主レンズである。又、Ｓは負レンズ群ＧＲ（−）と第２の正レンズ群ＧＲ２（＋）との間に設けられた開口絞り、ＩＭは撮像装置の撮像面を示す。なお、第１レンズＬ１〜第７レンズＬ７が対物部であり、第８レンズＬ８〜第９レンズＬ９がリレー部である。また、ＣＧ１〜ＣＧ４は、カバーガラス、光学的ローパスフィルタやＩＲカットフィルタ、固体撮像素子のシールガラス等を想定した平行平板を示す。尚、以下の表で、面番号８，１３は接合レンズの接着剤を表す。
【００５５】
［表１］
"実施例1"
面番号：テレコンバータレンズｓ１〜ｓ２７，主レンズｓ２８〜ｓ４１
面番号(非球面)    R(mm)   d(mm)    nd         νd
1                ∞        0.79    1.51633     64.2 
2                ∞        0.50        
3                34.297    1.50    1.48749     70.4 
4               -14.170    0.60        
5                ∞        5.88    1.84666     23.8 
6                ∞        0.83        
7               -7.704     0.40    1.76182     26.6 
8                4.453     0.01    1.51400     42.8 
9                4.453     1.30    1.72916     54.7 
10              -34.445    0.85        
11(絞り)        ∞         0.00        
12               3.827     2.50    1.59270     35.4 
13              -5.615     0.01    1.51400     42.8 
14              -5.615     0.55    1.59349     67.0 
15               3.186     0.74        
16  *            2.316     1.62    1.63469     23.9 
17  *            1.903     4.36        
18  *            5.240     2.12    1.54470     56.2 
19  *           28.020     7.80        
20  *          -17.997     2.40    1.54470     56.2 
21  *           -5.372     0.15        
22              ∞         7.26    1.84666     23.8 
23              ∞         0.15        
24  *           3.347      1.77    1.54470     56.2 
25  *           10.896     0.62        
26              ∞         0.79    1.84666     23.8 
27              ∞         0.64        
28              ∞         0.79    1.51633     64.1 
29              ∞         1.04        
30              1.676      0.63    1.54470     56.2 
31             -13.857     0.05        
32              4.012      0.28    1.63469     23.9 
33              1.559      0.57        
34             -36.876     0.31    1.63469     23.9 
35             -35.075     0.42
36             -6.434      0.86    1.54470     56.2 
37             -0.965      0.23
38             -2.637      0.45    1.53048     55.7 
39              1.582      0.64
40              ∞         0.30    1.51633     64.1 
41              ∞         0.39
像 
非球面係数
テレコンバータレンズ                
第16面       第17面       第18面      第19面
K   0.000         0.000         0.000         0.000 
A4  -9.6904E-03  -1.7988E-02   -2.3608E-03   -1.8572E-03
A6  -8.8622E-04  -2.7015E-03   -2.2123E-04   -2.3530E-04
A8  -6.3446E-05   4.0452E-04    2.7228E-05    2.7768E-05
A10 -7.8616E-05  -5.8518E-04   -1.1477E-06   -1.0202E-06
A12
第20面        第21面       第24面        第25面
K   0.000          0.000         0.000         0.000 
A4  8.4893E-03     5.7022E-03   -1.6021E-03   -2.6228E-03
A6  -2.2246E-04   -2.0831E-04   -7.8683E-04   -2.0884E-04
A8  -3.9324E-05   -1.0432E-05    1.6795E-04    8.8478E-05
A10 2.9115E-06     1.1320E-06   -2.2052E-05   -8.0500E-06
A12 -6.1635E-08    -2.5608E-08   1.1508E-06    7.2281E-07
主レンズ
第30面      第31面        第32面      第33面      第34面
K   -0.025      -29.823       -30.000     -6.295       30.000
A4  5.4737E-03  2.9864E-02   -4.4484E-02  4.7985E-02  -1.2218E-01
A6  1.8802E-03  3.6878E-02   1.4564E-01  5.1872E-02  -2.6536E-02
A8  -3.1928E-03 -4.3208E-02  -1.2728E-01  -1.8852E-02 6.2354E-02
A10 1.7037E-02  -2.3999E-02  -3.2604E-02  -6.3501E-03 2.0372E-02
A12 -2.1868E-02  2.7062E-02  7.7790E-02  -4.1075E-03 -1.8554E-02
A14 8.4210E-03               -1.8876E-02 2.2070E-02  -6.3386E-04
第35面      第36面      第37面      第38面      第39面
K   30.000       7.826      -4.059       -30.000      -12.523 
A4  -1.0027E-01 -3.7724E-04 -4.3185E-02 -1.4223E-02  -3.6784E-02
A6  3.0627E-03   2.0421E-02  5.1578E-02 -1.5539E-03   7.2592E-03
A8  1.9106E-02  -1.1047E-03 -1.1842E-02  2.1085E-03  -1.4441E-03
A10 1.6054E-02  -1.6207E-03  6.5318E-04 -1.9864E-04   1.4444E-04
A12 -2.2771E-03  2.6445E-04  1.9046E-05 -2.5376E-05  -5.0337E-06
A14 -2.7944E-03                          2.8800E-06  3.2341E-08
テレコンバータレンズと主レンズの合成光学系における値
焦点距離    15.14
Fナンバー   4.50
半画角      11.1
像高        3.02
レンズ全長  51.80
バックフォーカス    1.24
ただし、レンズ全長は第1レンズ被写体側面から主レンズ近軸像点までの距離
主レンズの焦点距離  4.33mm
コンバータ倍率      3.50
【００５６】
図３は実施例１の収差図（球面収差（ａ）、非点収差（ｂ）、歪曲収差（ｃ））である。ここで、収差図はコンバータレンズと主レンズを組み合わせた状態のものであり、本実施例は図２３に示す収差特性を有する主レンズ（焦点距離４．３３ｍｍ）と組み合わされている。球面収差図において、点線はｇ線、実線はｄ線に対する球面収差量をそれぞれ表す。また、非点収差図において、実線Ｓはサジタル面、点線Ｍはメリディオナル面をそれぞれ表す（以下同じ）。
【００５７】
本実施例では、第１の正レンズ群ＧＲ１（＋）、負レンズ群ＧＲ（−）、第２の正レンズ群ＧＲ２（＋）のいずれかを一体に光軸方向に移動させることによって、無限遠から有限距離への合焦を行うことが出来る。ただし、レンズ移動によりピント位置が変化するのであれば、それ以外のレンズ群の移動であっても良い。又、実施例１のテレコンバータレンズでは、倍率が３．５０であり、１次結像点位置は第７レンズＬ７の主レンズ側面より主レンズ側に、６．２１ｍｍの位置である（近軸値）。
【００５８】
（実施例２）
実施例２のレンズデータを表２に示す。図４は、実施例２の撮像光学系の断面図である。テレコンバータレンズＣＬは、被写体側から順に、正の屈折力を有する第１の正レンズ群ＧＲ１（＋）、負の屈折力を有する負レンズ群ＧＲ（−），第２の正レンズ群ＧＲ２（＋）及びその他のレンズ群を有する。具体的には、テレコンバータレンズＣＬは、第１の正レンズ群ＧＲ１（＋）を構成する正の屈折力を有する第１レンズＬ１（Ｐ２レンズ）と、反射光学素子である第１プリズムＰＳ１と、負の屈折力を有する第２レンズＬ２（Ｎ１レンズ）と正の屈折力を有する第３レンズＬ３（Ｐ３レンズ）とを接合した接合レンズからなる負レンズ群ＧＲ（−）と、正の屈折力を有する第４レンズＬ４と負の屈折力を有する第５レンズＬ５と正の屈折力を有する第６レンズ群とからなる正レンズ群ＧＲ２（＋）と、第７レンズＬ７と、第８レンズＬ８と、第９レンズＬ９と、反射光学素子である第２プリズムＰＳ２と、第１０レンズＬ１０（Ｐ１レンズ）とからなる。ＭＬは、撮像装置に備えられた主レンズである。又、Ｓは負レンズ群ＧＲ（−）と第２の正レンズ群ＧＲ２（＋）との間に設けられた開口絞り、ＩＭは撮像装置の撮像面を示す。なお、第１レンズＬ１〜第８レンズＬ８が対物部であり、第９レンズＬ９〜第１０レンズＬ１０がリレー部である。また、ＣＧ１〜ＣＧ４は、カバーガラス、光学的ローパスフィルタやＩＲカットフィルタ、固体撮像素子のシールガラス等を想定した平行平板を示す。以下の表で、面番号８は接合レンズの接着剤を表す。
【００５９】
［表２］
"実施例2"
面番号：テレコンバータレンズｓ１〜ｓ２９，主レンズｓ３０〜ｓ４３
面番号(非球面)    R(mm)   d(mm)   nd         νd
1                 ∞      0.79    1.51633     64.2 
2                 ∞      0.50        
3                 14.687  1.77    1.49746     63.7 
4                -20.720  0.20        
5                 ∞      6.27    1.84666     23.8 
6                 ∞      1.22
7                -5.653   0.45    1.80406     25.7 
8                 3.716   0.01    1.51400     42.8 
9                 3.716   0.82    1.72869     49.1 
10               666.102  1.13        
11(絞り)          ∞      0.31        
12                54.195  1.37    1.66906     29.4 
13                -3.877  0.50        
14                -3.147  0.45    1.58477     43.4 
15                -5.984  0.20        
16                8.102   1.26    1.61474     34.1 
17                44.525  0.28        
18  *             3.429   1.62    1.54470     56.2 
19  *             1.805   8.35        
20  *             4.688   1.82    1.54470     56.2 
21  *             4.821   3.46        
22  *             99.900  2.38    1.54470     56.2 
23  *             -4.598  0.32        
24                ∞      7.05    1.84666     23.8 
25                ∞      0.15        
26  *             3.818   1.64    1.54470     56.2 
27  *             11.671  0.58        
28                ∞      0.79    1.84666     23.8 
29                ∞      0.64        
30                ∞      0.79    1.51633     64.1 
31                ∞      1.04        
32                1.676   0.63    1.54470     56.2 
33              -13.857   0.05        
34                4.012   0.28    1.63469     23.9 
35                1.559   0.57        
36              -36.876   0.31    1.63469     23.9 
37              -35.075   0.42        
38               -6.434   0.86    1.54470     56.2 
39               -0.965   0.23        
40               -2.637   0.45    1.53048     55.7 
41                1.582   0.64        
42                ∞      0.30    1.51633     64.1 
43                ∞      0.40
像
非球面係数
テレコンバータレンズ
第18面         第19面       第20面       第21面
K   0.000          0.000         0.007        -0.063 
A4  -2.3010E-03   -1.8478E-02   -5.8459E-03   -9.7661E-03
A6  5.9234E-04    -3.1207E-03   -1.8169E-04   -4.8445E-05
A8  6.2984E-06     1.7767E-03    1.8034E-05    1.3636E-05
A10 -3.4502E-07   -7.9259E-04   -5.1572E-07   -3.4036E-07
A12                              7.0506E-09   -6.1470E-09
A14                             -2.8234E-10    2.4373E-10
第22面       第23面        第26面       第27面
K   -0.988       -0.031         0.000        0.000 
A4  1.0099E-02    9.1745E-03    3.4615E-03   -9.8086E-04
A6  -6.3276E-04   -3.0342E-05  -9.7322E-05   1.1246E-03
A8  7.7607E-06    -9.9401E-06   1.2752E-04   9.0844E-05
A10 7.0330E-07    -4.8446E-07  -1.8294E-05  -7.2273E-05
A12 -5.0633E-08   3.8977E-08    5.4012E-07   6.4900E-06
A14 1.1473E-09   -2.1578E-10     
主レンズ                    
第32面      第33面     第34面       第35面      第36面
K   -0.025      -29.823     -30.000      -6.295       30.000 
A4  5.4737E-03   2.9864E-02  -4.4484E-02  4.7985E-02  -1.2218E-01
A6  1.8802E-03   3.6878E-02  1.4564E-01   5.1872E-02  -2.6536E-02
A8  -3.1928E-03 -4.3208E-02 -1.2728E-01  -1.8852E-02   6.2354E-02
A10 1.7037E-02  -2.3999E-02 -3.2604E-02  -6.3501E-03   2.0372E-02
A12 -2.1868E-02  2.7062E-02  7.7790E-02  -4.1075E-03  -1.8554E-02
A14 8.4210E-03              -1.8876E-02   2.2070E-02  -6.3386E-04
第37面       第38面      第39面       第40面      第41面
K   30.000        7.826       -4.059       -30.000     -12.523 
A4  -1.0027E-01  -3.7724E-04  -4.3185E-02  -1.4223E-02 -3.6784E-02
A6  3.0627E-03    2.0421E-02   5.1578E-02  -1.5539E-03  7.2592E-03
A8  1.9106E-02   -1.1047E-03  -1.1842E-02   2.1085E-03 -1.4441E-03
A10 1.6054E-02   -1.6207E-03   6.5318E-04  -1.9864E-04  1.4444E-04
A12 -2.2771E-03   2.6445E-04   1.9046E-05  -2.5376E-05  -5.0337E-06
A14 -2.7944E-03                             2.8800E-06  3.2341E-08
テレコンバータレンズと主レンズの合成光学系における値
焦点距離    15.16
Fナンバー   4.50
半画角      11.1
像高        3.02
レンズ全長  51.98
バックフォーカス    1.24
ただし、レンズ全長は第1レンズ被写体側面から主レンズ近軸像点までの距離
主レンズの焦点距離  4.33mm
コンバータ倍率      3.50
【００６０】
図５は実施例２の収差図（球面収差（ａ）、非点収差（ｂ）、歪曲収差（ｃ））である。収差図はコンバータレンズと主レンズを組み合わせた状態のものであり、本実施例は図２３に示す収差特性を有する主レンズと組み合わされている。
【００６１】
第１の正レンズ群ＧＲ１（＋）、負レンズ群ＧＲ（−）、第２の正レンズ群ＧＲ２（＋）のいずれかを一体に光軸方向に移動させることによって、無限遠から有限距離への合焦を行うことが出来る。ただし、レンズ移動によりピント位置が変化するのであれば、それ以外のレンズ群の移動であっても良い。又、実施例２のテレコンバータレンズでは、倍率が３．５０であり、１次結像点位置は第８レンズＬ８の主レンズ側面より主レンズ側に、１．５６ｍｍの位置である（近軸値）。
【００６２】
（実施例３）
実施例３のレンズデータを表３に示す。図６は、実施例３の撮像光学系の断面図である。テレコンバータレンズＣＬは、被写体側から順に、正の屈折力を有する第１の正レンズ群ＧＲ１（＋）、負の屈折力を有する負レンズ群ＧＲ（−），第２の正レンズ群ＧＲ２（＋）及びその他のレンズ群を有する。具体的には、テレコンバータレンズＣＬは、第１の正レンズ群ＧＲ１（＋）を構成する正の屈折力を有する第１レンズＬ１（Ｐ２レンズ）と、反射光学素子である第１プリズムＰＳ１と、負の屈折力を有する第２レンズＬ２（Ｎ１レンズ）と正の屈折力を有する第３レンズＬ３（Ｐ３レンズ）とを接合した接合レンズからなる負レンズ群ＧＲ（−）と、正の屈折力を有する第４レンズＬ４（Ｐ４レンズ）と負の屈折力を有する第５レンズＬ５（Ｎ２レンズ）とを接合した接合レンズからなる第２の正レンズ群ＧＲ２（＋）と、第６レンズＬ６と、被写体側に凹面を向けたメニスカスレンズである第７レンズＬ７と、第８レンズＬ８（Ｐ５レンズ）と、第９レンズＬ９と、反射光学素子である第２プリズムＰＳ２と、第１０レンズＬ１０（Ｐ１レンズ）とからなる。ＭＬは、撮像装置に備えられた主レンズである。又、Ｓは負レンズ群ＧＲ（−）と第２の正レンズ群ＧＲ２（＋）との間に設けられた開口絞り、ＩＭは撮像装置の撮像面を示す。第１レンズＬ１〜第８レンズＬ８が対物部であり、第９レンズＬ９〜第１０レンズＬ１０がリレー部である。また、ＣＧ１〜ＣＧ４は、カバーガラス、光学的ローパスフィルタやＩＲカットフィルタ、固体撮像素子のシールガラス等を想定した平行平板を示す。以下の表で、面番号８，１３は接合レンズの接着剤を表す。
【００６３】
尚、本実施例のテレコンバータレンズＣＬは、図７に示すように、２つのプリズムＰＳ１、ＰＳ２を用いて光軸２回折り曲げ構造としているが、第２プリズムＰＳ２のみを用いて光軸１回折り曲げとしても良い。折り曲げは、撮像素子の短辺側に行うのが好ましい。
【００６４】
［表３］
"実施例3"
面番号：テレコンバータレンズｓ１〜ｓ２９，主レンズｓ３０〜ｓ４３
面番号(非球面)    R(mm)   d(mm)   nd         νd
1                 ∞      0.79    1.51633     64.2 
2                 ∞      0.50        
3                 13.736  1.76    1.48749     70.4 
4               -19.457   0.50        
5                 ∞      6.31    1.84666     23.8 
6                 ∞      1.12        
7                -7.046   0.45    1.80518     25.5 
8                 7.838   0.01    1.51400     42.8 
9                 7.838   0.80    1.74330     49.2 
10              -51.429   1.39        
11(絞り)          ∞      1.57        
12                7.869   1.13    1.67270     32.2 
13                -8.673  0.01    1.51400     42.8 
14                -8.673  0.57    1.59349     67.0 
15               -31.068  0.44        
16  *             4.037   2.50    1.54470     56.2 
17  *             1.841   2.11        
18  *             -3.397  2.19    1.54470     56.2 
19  *             -3.972  1.32        
20  *             5.125   2.08    1.54470     56.2 
21  *             6.345   5.69        
22  *             58.840  2.75    1.54470     56.2 
23  *             -5.253  0.15        
24                ∞      7.39    1.84666     23.8 
25                ∞      0.15        
26  *             4.313   1.73    1.54470     56.2 
27  *             15.860  0.45        
28                ∞      0.79    1.84666     23.8 
29                ∞      0.64        
30                ∞      0.79    1.51633     64.1 
31                ∞      1.04        
32                1.676   0.63    1.54470     56.2 
33              -13.857   0.05        
34                4.012   0.28    1.63469     23.9 
35                1.559   0.57        
36              -36.876   0.31    1.63469     23.9 
37              -35.075   0.42        
38                -6.434  0.86    1.54470     56.2 
39                -0.965  0.23        
40                -2.637  0.45    1.53048     55.7 
41                1.582   0.64        
42                ∞      0.30    1.51633     64.1 
43                ∞      0.40
像
非球面係数
テレコンバータレンズ
第16面         第17面      第18面       第19面      第20面
K   0.000          0.000        0.000        0.000        0.000 
A4  -1.4449E-03   -1.0385E-02   8.0744E-03   3.3351E-03  -2.3021E-03
A6  -3.1398E-04   -6.1921E-03  -2.0944E-03  -2.2087E-04  -3.2835E-04
A8  7.1013E-05     1.5027E-03   5.0287E-04  -4.4095E-05   2.6168E-05
A10 -8.9394E-06   -6.7038E-04  -1.6237E-04   7.8367E-06  -6.6391E-07
A12                             2.0758E-05  -4.3735E-07 
第21面        第22面      第23面       第26面       第27面
K   0.000         0.000        0.000        0.000        0.000 
A4  -5.8301E-03   6.8227E-03   6.6970E-03   1.0540E-03  -3.2706E-03
A6  -9.4465E-05  -3.1482E-04  -2.0734E-04  -5.3395E-04  -8.1995E-05
A8  1.5408E-05   -1.1813E-05  -8.6775E-06   8.4220E-05   1.4145E-04
A10 -3.9026E-07   1.2891E-06   1.0659E-06  -5.4896E-06  -1.4720E-05
A12              -2.8022E-08  -2.3267E-08   2.8702E-07   6.4109E-07
主レンズ                    
第32面      第33面      第34面       第35面      第36面
K   -0.025      -29.823      -30.000      -6.295       30.000 
A4  5.4737E-03   2.9864E-02  -4.4484E-02   4.7985E-02  -1.2218E-01
A6  1.8802E-03   3.6878E-02  1.4564E-01   5.1872E-02  -2.6536E-02
A8  -3.1928E-03 -4.3208E-02  -1.2728E-01  -1.8852E-02  6.2354E-02
A10 1.7037E-02  -2.3999E-02  -3.2604E-02  -6.3501E-03  2.0372E-02
A12 -2.1868E-02  2.7062E-02   7.7790E-02  -4.1075E-03 -1.8554E-02
A14 8.4210E-03               -1.8876E-02   2.2070E-02 -6.3386E-04
第37面       第38面      第39面       第40面       第41面
K   30.000        7.826       -4.059       -30.000      -12.523 
A4  -1.0027E-01  -3.7724E-04  -4.3185E-02  -1.4223E-02 -3.6784E-02
A6  3.0627E-03    2.0421E-02   5.1578E-02  -1.5539E-03  7.2592E-03
A8  1.9106E-02   -1.1047E-03  -1.1842E-02   2.1085E-03 -1.4441E-03
A10 1.6054E-02   -1.6207E-03   6.5318E-04  -1.9864E-04  1.4444E-04
A12 -2.2771E-03   2.6445E-04   1.9046E-05  -2.5376E-05 -5.0337E-06
A14 -2.7944E-03                            2.8800E-06  3.2341E-08
テレコンバータレンズと主レンズの合成光学系における値
焦点距離    15.16
Fナンバー   4.50
半画角      11.1
像高        3.02
レンズ全長  52.96
バックフォーカス    1.25
ただし、レンズ全長は第1レンズ被写体側面から主レンズ近軸像点までの距離
主レンズの焦点距離  4.33mm
コンバータ倍率      3.50
【００６５】
図８は実施例３の収差図（球面収差（ａ）、非点収差（ｂ）、歪曲収差（ｃ））である。収差図はコンバータレンズと主レンズを組み合わせた状態のものであり、本実施例は図２３に示す収差特性を有する主レンズと組み合わされている。
【００６６】
第１の正レンズ群ＧＲ１（＋）、負レンズ群ＧＲ（−）、第２の正レンズ群ＧＲ２（＋）のいずれかを一体に光軸方向に移動させることによって、無限遠から有限距離への合焦を行うことが出来る。ただし、レンズ移動によりピント位置が変化するのであれば、それ以外のレンズ群の移動であっても良い。又、実施例３のテレコンバータレンズでは、倍率が３．５０であり、１次結像点位置は第８レンズＬ８の主レンズ側面より主レンズ側に、３．６７ｍｍの位置である（近軸値）。
【００６７】
（実施例４）
実施例４のレンズデータを表４に示す。図９は、実施例４の撮像光学系の断面図である。テレコンバータレンズＣＬは、被写体側から順に、正の屈折力を有する第１の正レンズ群ＧＲ１（＋）、負の屈折力を有する負レンズ群ＧＲ（−），第２の正レンズ群ＧＲ２（＋）及びその他のレンズ群を有する。具体的には、テレコンバータレンズＣＬは、第１の正レンズ群ＧＲ１（＋）を構成する正の屈折力を有する第１レンズＬ１（Ｐ２レンズ）と、反射光学素子である第１プリズムＰＳ１と、負の屈折力を有する第２レンズＬ２（Ｎ１レンズ）と正の屈折力を有する第３レンズＬ３（Ｐ３レンズ）とを接合した接合レンズからなる負レンズ群ＧＲ（−）と、正の屈折力を有する第４レンズＬ４（Ｐ４レンズ）と負の屈折力を有する第５レンズＬ５（Ｎ２レンズ）とを接合した接合レンズからなる第２の正レンズ群ＧＲ２（＋）と、第６レンズＬ６と、被写体側に凹面を向けたメニスカスレンズである第７レンズＬ７と、第８レンズＬ８（Ｐ５レンズ）と、第９レンズＬ９と、反射光学素子である第２プリズムＰＳ２と、第１０レンズＬ１０（Ｐ１レンズ）とからなる。ＭＬは、撮像装置に備えられた主レンズである。又、Ｓは負レンズ群ＧＲ（−）と第２の正レンズ群ＧＲ２（＋）との間に設けられた開口絞り、ＩＭは撮像装置の撮像面を示す。なお、第１レンズＬ１〜第８レンズＬ８が対物部であり、第９レンズＬ９〜第１０レンズＬ１０がリレー部である。また、ＣＧ１〜ＣＧ４は、カバーガラス、光学的ローパスフィルタやＩＲカットフィルタ、固体撮像素子のシールガラス等を想定した平行平板を示す。以下の表で、面番号８，１３は接合レンズの接着剤を表す。
【００６８】
［表４］
"実施例4" 
面番号：テレコンバータレンズｓ１〜ｓ２９，主レンズｓ３０〜ｓ４３
面番号(非球面)    R(mm)   d(mm)   nd         νd
1                 ∞      0.79    1.51633     64.2 
2                 ∞      0.50        
3                 13.684  1.75    1.49866     79.8 
4               -19.742   0.50        
5                 ∞      6.27    1.84666     23.8 
6                 ∞      1.10        
7                 -7.103  0.45    1.80481     27.6 
8                 7.500   0.01    1.51400     42.8 
9                 7.500   0.80    1.73745     48.5 
10              -50.730   1.33        
11(絞り)          ∞      1.73        
12               11.121   0.95    1.67576     30.9 
13                -6.198  0.01    1.51400     42.8 
14                -6.198  0.45    1.58661     40.5 
15              -42.055   0.31        
16  *             3.342   2.50    1.54470     56.2 
17  *             1.836   2.28        
18  *             -3.130  2.00    1.54470     56.2 
19  *             -3.615  1.60        
20  *             5.170   1.94    1.54470     56.2 
21  *             6.046   5.89        
22  *             73.897  2.80    1.54470     56.2 
23  *             -5.174  0.15        
24                ∞      7.38    1.84666     23.8 
25                ∞      0.15        
26  *             4.378   1.75    1.54470     56.2 
27  *             16.212  0.46        
28                ∞      0.79    1.84666     23.8 
29                ∞      0.64        
30                ∞      0.79    1.51633     64.1 
31                ∞      1.04        
32                1.676   0.63    1.54470     56.2 
33              -13.857   0.05        
34                4.012   0.28    1.63469     23.9 
35                1.559   0.57        
36              -36.876   0.31    1.63469     23.9 
37              -35.075   0.42        
38                -6.434  0.86    1.54470     56.2 
39                -0.965  0.23        
40                -2.637  0.45    1.53048     55.7 
41                1.582   0.64        
42                ∞      0.30    1.51633     64.1 
43                ∞      0.40
像
非球面係数
テレコンバータレンズ
第16面        第17面      第18面       第19面       第20面
K   0.000         0.000        0.000        0.000        0.000 
A4  -1.1056E-03  -8.7165E-03   5.9201E-03   3.6704E-03  -1.7357E-03
A6  -2.7769E-04  -5.2331E-03  -1.8337E-03  -2.3857E-04  -3.5000E-04
A8  7.3826E-05    1.6030E-03   5.0639E-04  -4.0621E-05   2.6197E-05
A10 -1.1988E-05  -6.9623E-04  -1.6642E-04   8.7773E-06  -6.4936E-07
A12                            2.4562E-05  -4.7529E-07 
A14
第21面        第22面      第23面       第26面      第27面
K   0.000         0.000        0.000        0.000        0.000 
A4  -5.7156E-03   7.2647E-03   6.8747E-03   1.3251E-03  -3.1631E-03
A6  -9.4529E-05  -3.7223E-04  -2.2881E-04  -5.4148E-04  -7.3723E-05
A8  1.5014E-05   -9.0787E-06  -7.7676E-06   8.5643E-05   1.4186E-04
A10 -3.8899E-07   1.2585E-06   1.0876E-06  -5.2521E-06  -1.4400E-05
A12              -2.8162E-08  -2.3868E-08   2.5602E-07   5.7776E-07
主レンズ
第32面      第33面      第34面       第35面       第36面
K   -0.025      -29.823      -30.000       -6.295       30.000 
A4  5.4737E-03   2.9864E-02  -4.4484E-02   4.7985E-02  -1.2218E-01
A6  1.8802E-03   3.6878E-02   1.4564E-01   5.1872E-02  -2.6536E-02
A8  -3.1928E-03 -4.3208E-02  -1.2728E-01  -1.8852E-02   6.2354E-02
A10 1.7037E-02  -2.3999E-02  -3.2604E-02  -6.3501E-03   2.0372E-02
A12 -2.1868E-02  2.7062E-02   7.7790E-02  -4.1075E-03  -1.8554E-02
A14 8.4210E-03               -1.8876E-02   2.2070E-02  -6.3386E-04
第37面      第38面       第39面       第40面       第41面
K   30.000        7.826       -4.059       -30.000     -12.523 
A4  -1.0027E-01  -3.7724E-04  -4.3185E-02  -1.4223E-02 -3.6784E-02
A6  3.0627E-03    2.0421E-02   5.1578E-02  -1.5539E-03  7.2592E-03
A8  1.9106E-02   -1.1047E-03  -1.1842E-02  2.1085E-03  -1.4441E-03
A10 1.6054E-02   -1.6207E-03   6.5318E-04 -1.9864E-04   1.4444E-04
A12 -2.2771E-03   2.6445E-04  1.9046E-05  -2.5376E-05  -5.0337E-06
A14 -2.7944E-03                             2.8800E-06 3.2341E-08
テレコンバータレンズと主レンズの合成光学系における値
焦点距離    15.16
Fナンバー   4.50
半画角      11.1
像高        3.02
レンズ全長  52.97
バックフォーカス    1.2
ただし、レンズ全長は第1レンズ被写体側面から主レンズ近軸像点までの距離
主レンズの焦点距離  4.33mm
コンバータ倍率      3.50
【００６９】
図１０は実施例４の収差図（球面収差（ａ）、非点収差（ｂ）、歪曲収差（ｃ））である。収差図はコンバータレンズと主レンズを組み合わせた状態のものであり、本実施例は図２３に示す収差特性を有する主レンズと組み合わされている。
【００７０】
第１の正レンズ群ＧＲ１（＋）、負レンズ群ＧＲ（−）、第２の正レンズ群ＧＲ２（＋）のいずれかを一体に光軸方向に移動させることによって、無限遠から有限距離への合焦を行うことが出来る。ただし、レンズ移動によりピントが変化するのであれば、それ以外のレンズ群移動であっても良い。又、実施例４のテレコンバータレンズでは、倍率が３．５０であり、１次結像点位置は第８レンズＬ８の主レンズ側面より主レンズ側に、３．８７ｍｍの位置である（近軸値）。
【００７１】
（実施例５）
実施例５のレンズデータを表５に示す。図１１は、実施例５の撮像光学系の断面図である。テレコンバータレンズＣＬは、被写体側から順に、正の屈折力を有する第１の正レンズ群ＧＲ１（＋）、負の屈折力を有する負レンズ群ＧＲ（−），第２の正レンズ群ＧＲ２（＋）及びその他のレンズ群を有する。具体的には、テレコンバータレンズＣＬは、第１の正レンズ群ＧＲ１（＋）を構成する正の屈折力を有する第１レンズＬ１（Ｐ２レンズ）と、反射光学素子である第１プリズムＰＳ１と、負の屈折力を有する第２レンズＬ２（Ｎ１レンズ）と正の屈折力を有する第３レンズＬ３（Ｐ３レンズ）とを接合した接合レンズからなる負レンズ群ＧＲ（−）と、正の屈折力を有する第４レンズＬ４（Ｐ４レンズ）と負の屈折力を有する第５レンズＬ５（Ｎ２レンズ）とを接合した接合レンズからなる第２の正レンズ群ＧＲ２（＋）と、負の屈折力を有する第６レンズＬ６（Ｎ３レンズ）と、被写体側に凹面を向けたメニスカスレンズである第７レンズＬ７と、第８レンズＬ８（Ｐ５レンズ）と、第９レンズＬ９と、反射光学素子である第２プリズムＰＳ２と、第１０レンズＬ１０（Ｐ１レンズ）とからなる。ＭＬは、撮像装置に備えられた主レンズである。又、Ｓは負レンズ群ＧＲ（−）と第２の正レンズ群ＧＲ２（＋）との間に設けられた開口絞り、ＩＭは撮像装置の撮像面を示す。なお、第１レンズＬ１〜第８レンズＬ８が対物部であり、第９レンズＬ９〜第１０レンズＬ１０がリレー部である。また、ＣＧ１〜ＣＧ４は、カバーガラス、光学的ローパスフィルタやＩＲカットフィルタ、固体撮像素子のシールガラス等を想定した平行平板を示す。以下の表で、面番号８，１３は接合レンズの接着剤を表す。
【００７２】
［表５］
"実施例5" 
面番号：テレコンバータレンズｓ１〜ｓ２９，主レンズｓ３０〜ｓ４３
面番号(非球面)    R(mm)   d(mm)   nd         νd
1                 ∞      0.79    1.51633     64.2 
2                 ∞      0.50        
3                 13.411  1.66    1.49866     79.8 
4               -21.275   0.50        
5                 ∞      6.22    1.84666     23.8 
6                 ∞      1.09        
7                 -7.553  0.45    1.80481     27.6 
8                 7.401   0.01    1.51400     42.8 
9                 7.401   0.80    1.73745     48.5 
10              -49.976   1.26        
11(絞り)          ∞      2.46        
12                13.585  1.05    1.67790     36.0 
13                -5.687  0.01    1.51400     42.8 
14                -5.687  0.45    1.57474     42.9 
15              -30.469   0.20        
16  *             3.208   2.50    1.54470     56.2 
17  *             1.969   2.65        
18  *             -2.353  2.00    1.54470     56.2 
19  *             -3.436  1.27        
20  *             5.374   2.00    1.54470     56.2 
21  *             7.033   6.37        
22  *             76.684  2.95    1.54470     56.2 
23  *             -5.351  0.15        
24                 ∞     7.54    1.84666     23.8 
25                 ∞     0.15        
26  *             5.169   1.84    1.54470     56.2 
27  *             30.627  0.41        
28                 ∞     0.79    1.84666     23.8 
29                 ∞     0.64        
30                 ∞     0.79    1.51633     64.1 
31                 ∞     1.04        
32                1.676   0.63    1.54470     56.2 
33              -13.857   0.05        
34                4.012   0.28    1.63469     23.9 
35                1.559   0.57        
36              -36.876   0.31    1.63469     23.9 
37              -35.075   0.42        
38                -6.434  0.86    1.54470     56.2 
39                -0.965  0.23        
40                -2.637  0.45    1.53048     55.7 
41                1.582   0.64        
42                ∞      0.30    1.51633     64.1 
43                ∞      0.40        
像                  
非球面係数                  
テレコンバータレンズ                    
第16面       第17面       第18面      第19面       第20面
K   0.000         0.000        0.000        0.000        0.000 
A4  -6.3841E-04  -4.3047E-03   5.3586E-03   1.7376E-03  -2.1815E-03
A6  -1.9094E-04  -3.2562E-03  -1.1374E-03   9.0041E-05  -2.4389E-04
A8  4.6352E-05    1.1299E-03   5.0373E-04  -5.8233E-05   2.2856E-05
A10 -6.0260E-06  -3.0952E-04  -1.8082E-04   9.3925E-06  -7.1920E-07
A12                            3.7729E-05  -3.0429E-07 -1.1332E-10
A14                                                     1.6928E-10
第21面       第22面      第23面       第26面       第27面
K   0.000        0.000        0.000        0.000        0.000 
A4  -4.8438E-03  6.7021E-03   6.5987E-03   1.8079E-03  -2.2007E-03
A6  -6.6876E-05 -2.5291E-04  -2.1271E-04  -5.4315E-04  -7.6874E-05
A8  1.4033E-05  -1.4202E-05  -6.6332E-06   9.1081E-05   1.3801E-04
A10 -4.4517E-07  1.3317E-06   9.8039E-07  -4.8070E-06  -1.4567E-05
A12 -1.5329E-09 -2.9441E-08  -2.3681E-08   1.5396E-07   5.3927E-07
A14 1.4417E-10   6.6262E-11   6.7167E-11
主レンズ
第32面       第33面      第34面      第35面      第36面
K   -0.025       -29.823     -30.000       -6.295       30.000 
A4  5.4737E-03   2.9864E-02  -4.4484E-02   4.7985E-02  -1.2218E-01
A6  1.8802E-03   3.6878E-02   1.4564E-01   5.1872E-02  -2.6536E-02
A8  -3.1928E-03 -4.3208E-02  -1.2728E-01  -1.8852E-02   6.2354E-02
A10 1.7037E-02  -2.3999E-02  -3.2604E-02  -6.3501E-03   2.0372E-02
A12 -2.1868E-02  2.7062E-02   7.7790E-02  -4.1075E-03  -1.8554E-02
A14 8.4210E-03              -1.8876E-02   2.2070E-02  -6.3386E-04
第37面       第38面      第39面       第40面       第41面
K   30.000        7.826       -4.059       -30.000      -12.523 
A4  -1.0027E-01  -3.7724E-04  -4.3185E-02  -1.4223E-02 -3.6784E-02
A6  3.0627E-03    2.0421E-02   5.1578E-02  -1.5539E-03  7.2592E-03
A8  1.9106E-02   -1.1047E-03  -1.1842E-02   2.1085E-03 -1.4441E-03
A10 1.6054E-02   -1.6207E-03   6.5318E-04  -1.9864E-04  1.4444E-04
A12 -2.2771E-03   2.6445E-04   1.9046E-05  -2.5376E-05 -5.0337E-06
A14 -2.7944E-03                            2.8800E-06  3.2341E-08
テレコンバータレンズと主レンズの合成光学系における値
焦点距離    15.16
Fナンバー   4.50
半画角      11.1
像高        3.02
レンズ全長  54.38
バックフォーカス    1.24
ただし、レンズ全長は第1レンズ被写体側面から主レンズ近軸像点までの距離
主レンズの焦点距離  4.33mm
コンバータ倍率      3.50
【００７３】
図１２は実施例５の収差図（球面収差（ａ）、非点収差（ｂ）、歪曲収差（ｃ））である。収差図はコンバータレンズと主レンズを組み合わせた状態のものであり、本実施例は図２３に示す収差特性を有する主レンズと組み合わされている。
【００７４】
第１の正レンズ群ＧＲ１（＋）、負レンズ群ＧＲ（−）、第２の正レンズ群ＧＲ２（＋）のいずれかを一体に光軸方向に移動させることによって、無限遠から有限距離への合焦を行うことが出来る。ただし、レンズ移動によりピントが変化するのであれば、それ以外のレンズ群移動であっても良い。又、実施例５のテレコンバータレンズでは、倍率が３．５０であり、１次結像点位置は第８レンズＬ８の主レンズ側面より主レンズ側に、４．２４ｍｍの位置である（近軸値）。
【００７５】
（実施例６）
実施例６のレンズデータを表６に示す。図１３は、実施例６の撮像光学系の断面図である。テレコンバータレンズＣＬは、被写体側から順に、正の屈折力を有する第１の正レンズ群ＧＲ１（＋）、負の屈折力を有する負レンズ群ＧＲ（−），第２の正レンズ群ＧＲ２（＋）及びその他のレンズ群を有する。具体的には、テレコンバータレンズＣＬは、第１の正レンズ群ＧＲ１（＋）を構成する正の屈折力を有する第１レンズＬ１（Ｐ２レンズ）と、反射光学素子である第１プリズムＰＳ１と、負の屈折力を有する第２レンズＬ２（Ｎ１レンズ）と正の屈折力を有する第３レンズＬ３（Ｐ３レンズ）とを接合した接合レンズからなる負レンズ群ＧＲ（−）と、正の屈折力を有する第４レンズＬ４（Ｐ４レンズ）と負の屈折力を有する第５レンズＬ５（Ｎ２レンズ）とを接合した接合レンズからなる第２の正レンズ群ＧＲ２（＋）と、負の屈折力を有する第６レンズＬ６（Ｎ３レンズ）と、被写体側に凹面を向けたメニスカスレンズである第７レンズＬ７と、第８レンズＬ８（Ｐ５レンズ）と、第９レンズＬ９と、反射光学素子である第２プリズムＰＳ２と、第１０レンズＬ１０（Ｐ１レンズ）とからなる。ＭＬは、撮像装置に備えられた主レンズである。又、Ｓは負レンズ群ＧＲ（−）と第２の正レンズ群ＧＲ２（＋）との間に設けられた開口絞り、ＩＭは撮像装置の撮像面を示す。なお、第１レンズＬ１〜第８レンズＬ８が対物部であり、第９レンズＬ９〜第１０レンズＬ１０がリレー部である。また、ＣＧ１〜ＣＧ４は、カバーガラス、光学的ローパスフィルタやＩＲカットフィルタ、固体撮像素子のシールガラス等を想定した平行平板を示す。以下の表で、面番号８，１３は接合レンズの接着剤を表す。
【００７６】
［表６］
"実施例6"
面番号：テレコンバータレンズｓ１〜ｓ２９，主レンズｓ３０〜ｓ４３
面番号(非球面)    R(mm)   d(mm)   nd         νd
1                 ∞      0.79    1.51633     64.2 
2                 ∞      0.50        
3                 12.039  2.04    1.48749     70.4 
4               -23.728   0.59        
5                 ∞      6.93    1.84666     23.8 
6                 ∞      1.10        
7                 -9.466  0.45    1.80518     25.5 
8                 7.770   0.01    1.51400     42.8 
9                 7.770   2.45    1.74330     49.2 
10                52.668  0.20        
11(絞り)          ∞      2.60        
12                8.494   1.34    1.67270     32.2 
13                -7.619  0.01    1.51400     42.8 
14                -7.619  0.50    1.59349     67.0 
15              -270.235  0.37        
16  *             3.603   2.43    1.54470     56.2 
17  *             1.868   2.12        
18  *             -4.339  2.50    1.54470     56.2 
19  *             -6.091  3.73        
20  *             5.165   1.75    1.54470     56.2 
21  *             5.293   6.08        
22  *             79.632  3.00    1.54470     56.2 
23  *             -5.417  0.15        
24                ∞      7.59    1.84666     23.8 
25                ∞      0.15        
26  *             6.481   1.88    1.54470     56.2 
27  *           -55.926   0.31        
28                ∞      0.79    1.84666     23.8 
29                ∞      0.64        
30                ∞      0.79    1.51633     64.1 
31                ∞      1.04        
32                1.676   0.63    1.54470     56.2 
33              -13.857   0.05        
34                4.012   0.28    1.63469     23.9 
35                1.559   0.57        
36              -36.876   0.31    1.63469     23.9 
37              -35.075   0.42        
38                -6.434  0.86    1.54470     56.2 
39                -0.965  0.23        
40                -2.637  0.45    1.53048     55.7 
41                1.582   0.64        
42                ∞      0.30    1.51633     64.1 
43                ∞      0.39
像 
非球面係数 
テレコンバータレンズ 
第16面       第17面       第18面      第19面       第20面
K   0.000         0.000        0.000        0.000        0.000 
A4  -1.5249E-03  -9.6421E-03   6.2843E-03   3.2004E-03  -2.4400E-03
A6  -2.8370E-04  -5.8715E-03  -2.3239E-03  -3.4567E-04  -3.3971E-04
A8  3.1737E-05    1.0693E-03   4.3813E-04  -2.7674E-05   2.5667E-05
A10 -3.3428E-06  -5.1908E-04  -1.3900E-04   8.1972E-06  -6.1503E-07
A12                            2.1820E-05  -3.3340E-07 
A14                 
第21面       第22面     第23面      第26面      第27面
K   0.000        0.000       0.000       0.000        0.000 
A4  -7.0084E-03  7.1680E-03  6.4631E-03  1.0664E-03  -2.5122E-03
A6  -8.0093E-05 -3.0692E-04 -2.0082E-04 -5.1222E-04  -1.4760E-04
A8  1.5617E-05  -1.1719E-05 -8.1959E-06  8.2855E-05   1.3270E-04
A10 -4.3428E-07  1.2922E-06  1.0555E-06  -5.5643E-06 -1.4948E-05
A12             -2.8342E-08  -2.4023E-08  2.6835E-07  8.1793E-07
A14
主レンズ                    
第32面      第33面      第34面       第35面       第36面
K   -0.025      -29.823      -30.000      -6.295       30.000 
A4  5.4737E-03   2.9864E-02  -4.4484E-02   4.7985E-02  -1.2218E-01
A6  1.8802E-03   3.6878E-02   1.4564E-01   5.1872E-02  -2.6536E-02
A8  -3.1928E-03 -4.3208E-02  -1.2728E-01  -1.8852E-02   6.2354E-02
A10 1.7037E-02  -2.3999E-02  -3.2604E-02  -6.3501E-03   2.0372E-02
A12 -2.1868E-02  2.7062E-02   7.7790E-02  -4.1075E-03  -1.8554E-02
A14 8.4210E-03               -1.8876E-02    2.2070E-02 -6.3386E-04
第37面      第38面      第39面       第40面       第41面
K   30.000       7.826       -4.059       -30.000      -12.523 
A4  -1.0027E-01 -3.7724E-04  -4.3185E-02  -1.4223E-02  -3.6784E-02
A6  3.0627E-03   2.0421E-02   5.1578E-02  -1.5539E-03   7.2592E-03
A8  1.9106E-02  -1.1047E-03  -1.1842E-02   2.1085E-03  -1.4441E-03
A10 1.6054E-02  -1.6207E-03   6.5318E-04  -1.9864E-04   1.4444E-04
A12 -2.2771E-03  2.6445E-04   1.9046E-05  -2.5376E-05  -5.0337E-06
A14 -2.7944E-03                           2.8800E-06   3.2341E-08
テレコンバータレンズと主レンズの合成光学系における値
焦点距離    21.68 
Fナンバー   4.50 
半画角      7.8 
像高        3.02 
レンズ全長  58.67 
バックフォーカス    1.24 
ただし、レンズ全長は第1レンズ被写体側面から主レンズ近軸像点までの距離
主レンズの焦点距離  4.33mm
コンバータ倍率      5.01
【００７７】
図１４は実施例６の収差図（球面収差（ａ）、非点収差（ｂ）、歪曲収差（ｃ））である。収差図はコンバータレンズと主レンズを組み合わせた状態のものであり、本実施例は図２３に示す収差特性を有する主レンズと組み合わされている。
【００７８】
第１の正レンズ群ＧＲ１（＋）、負レンズ群ＧＲ（−）、第２の正レンズ群ＧＲ２（＋）のいずれかを一体に光軸方向に移動させることによって、無限遠から有限距離への合焦を行うことが出来る。ただし、レンズ移動によりピントが変化するのであれば、それ以外のレンズ群移動であっても良い。又、実施例６のテレコンバータレンズでは、倍率が５．０１であり、１次結像点位置は第８レンズＬ８の主レンズ側面より主レンズ側に、４．２１ｍｍの位置である（近軸値）。
【００７９】
（実施例７）
実施例７のレンズデータを表７に示す。図１５は、実施例７の撮像光学系の断面図である。テレコンバータレンズＣＬは、被写体側から順に、正の屈折力を有する第１の正レンズ群ＧＲ１（＋）、負の屈折力を有する負レンズ群ＧＲ（−），第２の正レンズ群ＧＲ２（＋）及びその他のレンズ群を有する。具体的には、テレコンバータレンズＣＬは、第１の正レンズ群ＧＲ１（＋）を構成する正の屈折力を有する第１レンズＬ１（Ｐ２レンズ）と、反射光学素子である第１プリズムＰＳ１と、負の屈折力を有する第２レンズＬ２（Ｎ１レンズ）と正の屈折力を有する第３レンズＬ３（Ｐ３レンズ）とを接合した接合レンズからなる負レンズ群ＧＲ（−）と、正の屈折力を有する第４レンズＬ４（Ｐ４レンズ）と負の屈折力を有する第５レンズＬ５（Ｎ２レンズ）とを接合した接合レンズからなる第２の正レンズ群ＧＲ２（＋）と、第６レンズＬ６と、被写体側に凹面を向けたメニスカスレンズである第７レンズＬ７と、第８レンズＬ８と、第９レンズＬ９と、反射光学素子である第２プリズムＰＳ２と、第１０レンズＬ１０（Ｐ１レンズ）とからなる。ＭＬは、撮像装置に備えられた主レンズである。又、Ｓは負レンズ群ＧＲ（−）と第２の正レンズ群ＧＲ２（＋）との間に設けられた開口絞り、ＩＭは撮像装置の撮像面を示す。なお、第１レンズＬ１〜第８レンズＬ８が対物部であり、第９レンズＬ９〜第１０レンズＬ１０がリレー部である。また、ＣＧ１〜ＣＧ４は、カバーガラス、光学的ローパスフィルタやＩＲカットフィルタ、固体撮像素子のシールガラス等を想定した平行平板を示す。以下の表で、面番号８，１３は接合レンズの接着剤を表す。
【００８０】
［表７］
"実施例7"
面番号：テレコンバータレンズｓ１〜ｓ２９，主レンズｓ３０〜ｓ４３
面番号(非球面)    R(mm)   d(mm)   nd         νd
1                 ∞      0.79    1.51633     64.2 
2                 ∞      0.50        
3                 59.836  3.00    1.48749     70.4 
4               -15.256   1.28        
5                 ∞      6.85    1.84666     23.8 
6                 ∞      1.83        
7                 -4.929  0.90    1.80518     25.5 
8                 6.707   0.01    1.51400     42.8 
9                 6.707   3.55    1.74330     49.2 
10                -8.478  0.23        
11(絞り)          ∞      1.07        
12                8.581   1.82    1.67270     32.2 
13              -14.982   0.01    1.51400     42.8 
14              -14.982   0.86    1.59349     67.0 
15                66.822  0.52        
16  *             3.372   2.50    1.54470     56.2 
17  *             1.739   2.21        
18  *             -2.669  1.59    1.54470     56.2 
19  *             -2.964  1.37        
20  *             4.189   2.20    1.54470     56.2 
21  *             3.919   4.79        
22  *             47.390  2.62    1.54470     56.2 
23  *             -4.482  0.15        
24                ∞      6.00    1.84666     23.8 
25                ∞      0.15        
26  *             3.255   2.16    1.54470     56.2 
27  *             10.353  0.47        
28                ∞      0.79    1.84666     23.8 
29                ∞      0.64        
30                ∞      0.79    1.51633     64.1 
31                ∞      1.04        
32                1.676   0.63    1.54470     56.2 
33              -13.857   0.05        
34                4.012   0.28    1.63469     23.9 
35                1.559   0.57        
36              -36.876   0.31    1.63469     23.9 
37              -35.075   0.42        
38                -6.434  0.86    1.54470     56.2 
39                -0.965  0.23        
40                -2.637  0.45    1.53048     55.7 
41                1.582   0.64        
42                ∞      0.30    1.51633     64.1 
43                ∞      0.41 
像 
非球面係数 
テレコンバータレンズ 
第16面       第17面       第18面       第19面      第20面
K   0.000         0.000        0.000        0.000        0.000 
A4  -1.1328E-03  -1.3830E-02   6.3835E-03   5.8560E-03  -3.4177E-03
A6  -9.4111E-05  -3.7406E-03  -2.0740E-03  -5.3311E-04  -2.2098E-04
A8  6.2090E-06   -9.1067E-05  -1.5417E-04  -4.2501E-05   2.8267E-05
A10 -1.1092E-06  -5.2052E-04  -1.1298E-04   6.8219E-06  -1.1212E-06
A12                            2.1432E-05   1.1338E-07  
第21面       第22面      第23面      第26面       第27面
K   0.000         0.000       0.000        0.000        0.000 
A4  -1.0254E-02   6.0556E-03  6.5792E-03   2.0848E-03  -2.6274E-03
A6  2.4072E-04   -2.7782E-04  5.5676E-06  -6.5921E-04  -2.4253E-04
A8  4.3763E-06   -1.0161E-05 -1.9169E-05   5.1500E-05   1.0595E-04
A10 -7.2363E-07  1.4508E-06   1.5387E-06  -7.1393E-06  -1.6887E-05
A12              -3.5533E-08 -2.4671E-08   1.5943E-07   1.2916E-06
主レンズ                    
第32面       第33面     第34面       第35面       第36面
K   -0.025       -29.823     -30.000      -6.295        30.000 
A4  5.4737E-03   2.9864E-02  -4.4484E-02   4.7985E-02 -1.2218E-01
A6  1.8802E-03   3.6878E-02   1.4564E-01   5.1872E-02 -2.6536E-02
A8  -3.1928E-03 -4.3208E-02  -1.2728E-01  -1.8852E-02  6.2354E-02
A10 1.7037E-02  -2.3999E-02  -3.2604E-02  -6.3501E-03  2.0372E-02
A12 -2.1868E-02  2.7062E-02   7.7790E-02  -4.1075E-03  -1.8554E-02
A14 8.4210E-03              -1.8876E-02   2.2070E-02  -6.3386E-04
第37面       第38面      第39面       第40面       第41面
K   30.000        7.826       -4.059       -30.000      -12.523 
A4  -1.0027E-01  -3.7724E-04  -4.3185E-02 -1.4223E-02  -3.6784E-02
A6  3.0627E-03    2.0421E-02   5.1578E-02 -1.5539E-03   7.2592E-03
A8  1.9106E-02   -1.1047E-03  -1.1842E-02  2.1085E-03  -1.4441E-03
A10 1.6054E-02   -1.6207E-03   6.5318E-04 -1.9864E-04   1.4444E-04
A12 -2.2771E-03   2.6445E-04   1.9046E-05 -2.5376E-05  -5.0337E-06
A14 -2.7944E-03                            2.8800E-06  3.2341E-08
テレコンバータレンズと主レンズの合成光学系における値
焦点距離    15.18
Fナンバー   4.50
半画角      11.1 
像高        3.02 
レンズ全長  56.53
バックフォーカス    1.25
ただし、レンズ全長は第1レンズ被写体側面から主レンズ近軸像点までの距離
主レンズの焦点距離  4.33mm
コンバータ倍率      3.51
【００８１】
図１６は実施例７の収差図（球面収差（ａ）、非点収差（ｂ）、歪曲収差（ｃ））である。収差図はコンバータレンズと主レンズを組み合わせた状態のものであり、本実施例は図２３に示す収差特性を有する主レンズと組み合わされている。
【００８２】
第１の正レンズ群ＧＲ１（＋）、負レンズ群ＧＲ（−）、第２の正レンズ群ＧＲ２（＋）のいずれかを一体に光軸方向に移動させることによって、無限遠から有限距離への合焦を行うことが出来る。ただし、レンズ移動によりピントが変化するのであれば、それ以外のレンズ群移動であっても良い。又、実施例７のテレコンバータレンズでは、倍率が３．５１であり、１次結像点位置は第８レンズＬ８の主レンズ側面より主レンズ側に、３．４５ｍｍの位置である（近軸値）。
【００８３】
（実施例８）
実施例８のレンズデータを表８に示す。図１７は、実施例８の撮像光学系の断面図である。テレコンバータレンズＣＬは、被写体側から順に、正の屈折力を有する第１の正レンズ群ＧＲ１（＋）、負の屈折力を有する負レンズ群ＧＲ（−），第２の正レンズ群ＧＲ２（＋）及びその他のレンズ群を有する。具体的には、テレコンバータレンズＣＬは、第１の正レンズ群ＧＲ１（＋）を構成する正の屈折力を有する第１レンズＬ１（Ｐ２レンズ）と、反射光学素子である第１プリズムＰＳ１と、負の屈折力を有する第２レンズＬ２（Ｎ１レンズ）と正の屈折力を有する第３レンズＬ３（Ｐ３レンズ）とを接合した接合レンズからなる負レンズ群ＧＲ（−）と、正の屈折力を有する第４レンズＬ４（Ｐ４レンズ）と負の屈折力を有する第５レンズＬ５（Ｎ２レンズ）とを接合した接合レンズからなる第２の正レンズ群ＧＲ２（＋）と、負の屈折力を有する第６レンズＬ６（Ｎ３レンズ）と、被写体側に凹面を向けたメニスカスレンズである第７レンズＬ７と、第８レンズＬ８（Ｐ５レンズ）と、第９レンズＬ９と、反射光学素子である第２プリズムＰＳ２と、第１０レンズＬ１０（Ｐ１レンズ）とからなる。ＭＬは、撮像装置に備えられた主レンズである。又、Ｓは負レンズ群ＧＲ（−）と第２の正レンズ群ＧＲ２（＋）との間に設けられた開口絞り、ＩＭは撮像装置の撮像面を示す。なお、第１レンズＬ１〜第８レンズＬ８が対物部であり、第９レンズＬ９〜第１０レンズＬ１０がリレー部である。また、ＣＧ１〜ＣＧ４は、カバーガラス、光学的ローパスフィルタやＩＲカットフィルタ、固体撮像素子のシールガラス等を想定した平行平板を示す。以下の表で、面番号８，１３は接合レンズの接着剤を表す。
【００８４】
［表８］
"実施例8"
面番号：テレコンバータレンズｓ１〜ｓ２９，主レンズｓ３０〜ｓ４３
面番号(非球面)    R(mm)   d(mm)   nd         νd
1                 ∞      0.79    1.51633     64.2 
2                 ∞      0.50        
3                 13.551  1.25    1.48749     70.4 
4               -20.170   0.50        
5                 ∞      5.97    1.84666     23.8 
6                 ∞      0.92        
7                 -8.985  0.45    1.80518     25.5 
8                 5.920   0.01    1.51400     42.8 
9                 5.920   0.80    1.74330     49.2 
10                40.929  0.20        
11(絞り)         ∞       1.93        
12                7.506   1.03    1.67270     32.2 
13                -8.572  0.01    1.51400     42.8 
14                -8.572  0.45    1.59349     67.0 
15              -33.269   0.31        
16  *             3.865   2.49    1.54470     56.2 
17  *             1.848   2.32        
18  *             -3.070  2.07    1.54470     56.2 
19  *             -3.518  3.62        
20  *             5.204   2.20    1.54470     56.2 
21  *             5.276   6.18        
22  *             17.028  1.77    1.54470     56.2 
23  *           -43.868   0.80        
24                ∞      6.81    1.84666     23.8 
25                ∞      0.15        
26  *             3.717   2.17    1.54470     56.2 
27  *             30.270  0.66        
28                ∞      0.79    1.84666     23.8 
29                ∞      0.64        
30                ∞      0.79    1.51633     64.1 
31                ∞      1.04        
32                1.676   0.63    1.54470     56.2 
33              -13.857   0.05        
34                4.012   0.28    1.63469     23.9 
35                1.559   0.57        
36              -36.876   0.31    1.63469     23.9 
37              -35.075   0.42        
38                -6.434  0.86    1.54470     56.2 
39                -0.965  0.23        
40                -2.637  0.45    1.53048     55.7 
41                1.582   0.64        
42                ∞      0.30    1.51633     64.1 
43                ∞      0.42
像
非球面係数
テレコンバータレンズ
第16面       第17面       第18面       第19面      第20面
K   0.000         0.000        0.000        0.000        0.000 
A4  -1.7478E-03  -1.0687E-02   9.4044E-03   4.4476E-03  -1.3159E-03
A6  -2.1302E-04  -4.7649E-03  -2.4656E-03  -3.1656E-04  -3.8179E-04
A8  4.8701E-05    1.2842E-03   5.9228E-04  -3.3166E-05   2.6103E-05
A10 -7.0256E-06  -6.0994E-04  -1.3386E-04   8.1014E-06  -6.0956E-07
A12                            2.0891E-05  -4.0488E-07
第21面        第22面     第23面       第26面      第27面
K   0.000         0.000       0.000        0.000        0.000 
A4  -7.1183E-03   7.1241E-03  3.6705E-03  -3.1659E-03  -1.6287E-03
A6  -5.9631E-05  -3.3629E-04 -2.5811E-04  -3.8574E-04  -2.3319E-04
A8  1.4743E-05   -1.3205E-05 -6.1048E-06   7.7759E-05   1.3985E-04
A10 -4.2187E-07   1.2183E-06  1.0207E-06  -6.1026E-06  -1.4032E-05
A12              -2.4140E-08 -2.5103E-08   2.5229E-07   7.0687E-07
主レンズ                    
第32面       第33面      第34面      第35面       第36面
K   -0.025       -29.823     -30.000      -6.295       30.000 
A4  5.4737E-03   2.9864E-02  -4.4484E-02   4.7985E-02  -1.2218E-01
A6  1.8802E-03   3.6878E-02   1.4564E-01   5.1872E-02  -2.6536E-02
A8  -3.1928E-03 -4.3208E-02  -1.2728E-01  -1.8852E-02   6.2354E-02
A10 1.7037E-02  -2.3999E-02  -3.2604E-02  -6.3501E-03   2.0372E-02
A12 -2.1868E-02  2.7062E-02   7.7790E-02  -4.1075E-03  -1.8554E-02
A14 8.4210E-03               -1.8876E-02   2.2070E-02  -6.3386E-04
第37面       第38面      第39面       第40面      第41面
K   30.000        7.826       -4.059       -30.000     -12.523 
A4  -1.0027E-01  -3.7724E-04  -4.3185E-02  -1.4223E-02  -3.6784E-02
A6  3.0627E-03    2.0421E-02   5.1578E-02  -1.5539E-03   7.2592E-03
A8  1.9106E-02   -1.1047E-03  -1.1842E-02   2.1085E-03  -1.4441E-03
A10 1.6054E-02   -1.6207E-03   6.5318E-04  -1.9864E-04   1.4444E-04
A12 -2.2771E-03   2.6445E-04   1.9046E-05  -2.5376E-05  -5.0337E-06
A14 -2.7944E-03                             2.8800E-06  3.2341E-08
テレコンバータレンズと主レンズの合成光学系における値
焦点距離    15.40
Fナンバー   4.50
半画角      10.9 
像高        3.02
レンズ全長  53.49
バックフォーカス    1.26
ただし、レンズ全長は第1レンズ被写体側面から主レンズ近軸像点までの距離
主レンズの焦点距離  4.33mm
コンバータ倍率      3.56
【００８５】
図１８は実施例８の収差図（球面収差（ａ）、非点収差（ｂ）、歪曲収差（ｃ））である。収差図はコンバータレンズと主レンズを組み合わせた状態のものであり、本実施例は図２３に示す収差特性を有する主レンズと組み合わされている。
【００８６】
第１の正レンズ群ＧＲ１（＋）、負レンズ群ＧＲ（−）、第２の正レンズ群ＧＲ２（＋）のいずれかを一体に光軸方向に移動させることによって、無限遠から有限距離への合焦を行うことが出来る。ただし、レンズ移動によりピントが変化するのであれば、それ以外のレンズ群移動であっても良い。又、実施例７のテレコンバータレンズでは、倍率が３．５６であり、１次結像点位置は第８レンズＬ８の主レンズ側面より主レンズ側に、４．４８ｍｍの位置である（近軸値）。
【００８７】
（実施例９）
実施例９のレンズデータを表９に示す。図１９は、実施例９の撮像光学系の断面図である。テレコンバータレンズＣＬは、被写体側から順に、正の屈折力を有する第１の正レンズ群ＧＲ１（＋）、負の屈折力を有する負レンズ群ＧＲ（−），第２の正レンズ群ＧＲ２（＋）及びその他のレンズ群を有する。具体的には、テレコンバータレンズＣＬは、第１の正レンズ群ＧＲ１（＋）を構成する正の屈折力を有する第１レンズＬ１（Ｐ２レンズ）と、反射光学素子である第１プリズムＰＳ１と、負の屈折力を有する第２レンズＬ２（Ｎ１レンズ）と正の屈折力を有する第３レンズＬ３（Ｐ３レンズ）とを接合した接合レンズからなる負レンズ群ＧＲ（−）と、正の屈折力を有する第４レンズＬ４（Ｐ４レンズ）と負の屈折力を有する第５レンズＬ５（Ｎ２レンズ）とを接合した接合レンズからなる第２の正レンズ群ＧＲ２（＋）と、負の屈折力を有する第６レンズＬ６（Ｎ３レンズ）と、被写体側に凹面を向けたメニスカスレンズである第７レンズＬ７と、第８レンズＬ８（Ｐ５レンズ）と、第９レンズＬ９と、反射光学素子である第２プリズムＰＳ２と、第１０レンズＬ１０（Ｐ１レンズ）とからなる。ＭＬは、撮像装置に備えられた主レンズである。又、Ｓは負レンズ群ＧＲ（−）と第２の正レンズ群ＧＲ２（＋）との間に設けられた開口絞り、ＩＭは撮像装置の撮像面を示す。なお、第１レンズＬ１〜第８レンズＬ８が対物部であり、第９レンズＬ９〜第１０レンズＬ１０がリレー部である。また、ＣＧ１〜ＣＧ４は、カバーガラス、光学的ローパスフィルタやＩＲカットフィルタ、固体撮像素子のシールガラス等を想定した平行平板を示す。以下の表で、面番号８，１３は接合レンズの接着剤を表す。
【００８８】
［表９］
"実施例９"
面番号：テレコンバータレンズｓ１〜ｓ２９，主レンズｓ３０〜ｓ４３
面番号(非球面)    R(mm)   d(mm)   nd         νd
1                 ∞      0.79    1.51633     64.2
2                 ∞      0.50        
3                 15.181  1.56    1.48749     70.4
4               -17.125   0.50        
5                 ∞      6.07    1.84666     23.8
6                 ∞      1.04        
7                 -6.762  0.90    1.80518     25.5 
8                 7.179   0.01    1.51400     42.8 
9                 7.179   2.12    1.74330     49.2 
10              -46.868   0.20        
11(絞り)          ∞      1.89        
12                7.623   1.31    1.67270     32.2 
13                -9.064  0.01    1.51400     42.8 
14                -9.064  0.57    1.59349     67.0 
15              -28.700   0.41        
16  *             4.006   2.50    1.54470     56.2 
17  *             1.843   2.23        
18  *             -3.356  2.20    1.54470     56.2 
19  *             -3.952  2.56        
20  *             5.237   1.85    1.54470     56.2 
21  *             5.610   5.86        
22  *             34.472  3.00    1.54470     56.2 
23  *             -5.083  0.15        
24                ∞      6.88    1.84666     23.8 
25                ∞      0.15        
26  *             5.733   1.95    1.54470     56.2 
27  *             28.884  0.39        
28                ∞      0.79    1.84666     23.8 
29                ∞      0.64        
30                ∞      0.79    1.51633     64.1 
31                ∞      1.04        
32                1.676   0.63    1.54470     56.2 
33              -13.857   0.05        
34                4.012   0.28    1.63469     23.9 
35                1.559   0.57        
36              -36.876   0.31    1.63469     23.9 
37              -35.075   0.42        
38                -6.434  0.86    1.54470     56.2 
39                -0.965  0.23        
40                -2.637  0.45    1.53048     55.7 
41                1.582   0.64        
42                ∞      0.30    1.51633     64.1 
43                ∞      0.40
像
非球面係数
テレコンバータレンズ
第16面       第17面       第18面       第19面       第20面
K   0.000         0.000        0.000        0.000        0.000 
A4  -1.1682E-03  -8.7147E-03   4.3885E-03   2.1552E-03  -2.3384E-03
A6  -2.4625E-04  -5.7373E-03  -2.0892E-03  -3.0621E-04  -3.4228E-04
A8  3.4581E-05    1.2965E-03   3.6225E-04  -4.3597E-05   2.6125E-05
A10 -2.7952E-06  -5.8640E-04  -1.5758E-04   8.1813E-06  -6.1253E-07
A12                            2.7750E-05  -3.8947E-07 
第21面        第22面      第23面       第26面       第27面
K   0.000         0.000        0.000        0.000        0.000 
A4  -6.5123E-03   5.8380E-03   6.5061E-03   2.8182E-03  -2.8515E-03
A6  -8.6760E-05  -2.7909E-04  -1.8708E-04  -5.9667E-04  -5.2299E-05
A8  1.5180E-05   -1.1699E-05  -8.6025E-06   8.8685E-05   1.3553E-04
A10 -3.8706E-07   1.2976E-06   1.0707E-06  -5.2053E-06  -1.4406E-05
A12              -2.8034E-08  -2.2309E-08   2.1360E-07   6.5216E-07
主レンズ                    
第32面      第33面      第34面       第35面       第36面
K   -0.025      -29.823      -30.000      -6.295        30.000 
A4  5.4737E-03   2.9864E-02  -4.4484E-02   4.7985E-02  -1.2218E-01
A6  1.8802E-03   3.6878E-02   1.4564E-01   5.1872E-02  -2.6536E-02
A8  -3.1928E-03 -4.3208E-02  -1.2728E-01  -1.8852E-02   6.2354E-02
A10 1.7037E-02  -2.3999E-02  -3.2604E-02  -6.3501E-03   2.0372E-02
A12 -2.1868E-02  2.7062E-02   7.7790E-02  -4.1075E-03  -1.8554E-02
A14 8.4210E-03               -1.8876E-02   2.2070E-02  -6.3386E-04
第37面       第38面      第39面       第40面       第41面
K   30.000        7.826       -4.059       -30.000      -12.523 
A4  -1.0027E-01  -3.7724E-04  -4.3185E-02  -1.4223E-02 -3.6784E-02
A6  3.0627E-03    2.0421E-02   5.1578E-02  -1.5539E-03  7.2592E-03
A8  1.9106E-02   -1.1047E-03  -1.1842E-02   2.1085E-03 -1.4441E-03
A10 1.6054E-02   -1.6207E-03   6.5318E-04  -1.9864E-04  1.4444E-04
A12 -2.2771E-03   2.6445E-04   1.9046E-05  -2.5376E-05  -5.0337E-06
A14 -2.7944E-03                             2.8800E-06  3.2341E-08
テレコンバータレンズと主レンズの合成光学系における値
焦点距離    15.38
Fナンバー   4.50
半画角      10.9
像高        3.02
レンズ全長  54.70
バックフォーカス    1.24
ただし、レンズ全長は第1レンズ被写体側面から主レンズ近軸像点までの距離
主レンズの焦点距離  4.33mm
コンバータ倍率      3.55
【００８９】
図２０は実施例９の収差図（球面収差（ａ）、非点収差（ｂ）、歪曲収差（ｃ））である。収差図はコンバータレンズと主レンズを組み合わせた状態のものであり、本実施例は図２３に示す収差特性を有する主レンズと組み合わされている。
【００９０】
第１の正レンズ群ＧＲ１（＋）、負レンズ群ＧＲ（−）、第２の正レンズ群ＧＲ２（＋）のいずれかを一体に光軸方向に移動させることによって、無限遠から有限距離への合焦を行うことが出来る。ただし、レンズ移動によりピントが変化するのであれば、それ以外のレンズ群移動であっても良い。又、実施例７のテレコンバータレンズでは、倍率が３．５５であり、１次結像点位置は第８レンズＬ８の主レンズ側面より主レンズ側に、３．３２ｍｍの位置である（近軸値）。
【００９１】
（実施例１０）
実施例１０のレンズデータを表１０に示す。図２１は、実施例１０の撮像光学系の断面図である。テレコンバータレンズＣＬは、被写体側から順に、正の屈折力を有する第１の正レンズ群ＧＲ１（＋）、負の屈折力を有する負レンズ群ＧＲ（−），第２の正レンズ群ＧＲ２（＋）及びその他のレンズ群を有する。具体的には、テレコンバータレンズＣＬは、負の屈折力を有するレンズＬ１と正の屈折力を有するレンズＬ２とを接合した接合レンズからなる第１の正レンズ群ＧＲ１（＋）と、反射光学素子である第１プリズムＰＳ１と、負の屈折力を有する第３レンズＬ３（Ｎ１レンズ）と正の屈折力を有する第４レンズＬ４（Ｐ３レンズ）とを接合した接合レンズからなる負レンズ群ＧＲ（−）と、正の屈折力を有する第５レンズＬ５（Ｐ４レンズ）と負の屈折力を有する第６レンズＬ６（Ｎ２レンズ）とを接合した接合レンズからなる第２の正レンズ群ＧＲ２（＋）と、負の屈折力を有する第７レンズＬ７（Ｎ３レンズ）と、被写体側に凹面を向けたメニスカスレンズである第８レンズＬ８と、第９レンズＬ９（Ｐ５レンズ）と、第１０レンズＬ１０と、反射光学素子である第２プリズムＰＳ２と、第１１レンズＬ１１（Ｐ１レンズ）とからなる。ＭＬは、撮像装置に備えられた主レンズである。又、Ｓは負レンズ群ＧＲ（−）と第２の正レンズ群ＧＲ２（＋）との間に設けられた開口絞り、ＩＭは撮像装置の撮像面を示す。なお、第１レンズＬ１〜第９レンズＬ９が対物部であり、第１０レンズＬ１０〜第１１レンズＬ１１がリレー部である。また、ＣＧ１〜ＣＧ４は、カバーガラス、光学的ローパスフィルタやＩＲカットフィルタ、固体撮像素子のシールガラス等を想定した平行平板を示す。以下の表で、面番号４，１０、１５は接合レンズの接合レンズの接着剤を表す。
【００９２】
［表１０］
"実施例１０"
面番号：テレコンバータレンズｓ１〜ｓ３１，主レンズｓ３２〜ｓ４５
面番号(非球面)    R(mm)   d(mm)   nd         νd
1                 ∞      0.79    1.51633     64.2 
2                 ∞      0.50        
3                 38.849  0.50    1.85101     39.3 
4                 18.852  0.01    1.51400     42.8 
5                 18.850  1.50    1.49829     80.2 
6               -11.132   0.50        
7                 ∞      5.43    1.84666     23.8 
8                 ∞      0.91        
9                 -5.647  0.63    1.80518     25.5 
10                26.223  0.01    1.51400     42.8 
11                26.223  1.76    1.74330     49.2 
12              -11.007   0.20        
13(絞り)          ∞      0.62        
14                11.917  3.18    1.67270     32.2 
15                -7.885  0.01    1.51400     42.8 
16                -7.885  0.85    1.59349     67.0 
17              -21.994   0.38        
18  *             3.807   2.50    1.54470     56.2 
19  *             1.839   2.26        
20  *             -2.668  2.20    1.54470     56.2 
21  *             -3.352  3.84        
22  *             5.113   1.88    1.54470     56.2 
23  *             5.245   6.45        
24  *             99.900  3.00    1.54470     56.2 
25  *             -5.390  0.15        
26                ∞      6.90    1.84666     23.8 
27                ∞      0.36        
28  *             6.778   1.86    1.54470     56.2 
29  *           -55.770   0.30        
30                ∞      0.79    1.84666     23.8 
31                ∞      0.64        
32                ∞      0.79    1.51633     64.1 
33                ∞      1.04        
34                1.676   0.63    1.54470     56.2 
35              -13.857   0.05        
36                4.012   0.28    1.63469     23.9 
37                1.559   0.57        
38              -36.876   0.31    1.63469     23.9 
39              -35.075   0.42        
40                -6.434  0.86    1.54470     56.2 
41                -0.965  0.23        
42                -2.637  0.45    1.53048     55.7 
43                1.582   0.64        
44                 ∞     0.30    1.51633     64.1 
45                 ∞     0.40
像
非球面係数
テレコンバータレンズ
第18面       第19面       第20面       第21面      第22面
K   0.000         0.000        0.000         0.000       0.000 
A4  -1.0205E-03  -1.1371E-02   3.1507E-03   1.7942E-03  -2.6723E-03
A6  -7.7319E-05  -4.1918E-03  -1.6630E-03  -1.2789E-04  -3.2482E-04
A8  7.4450E-06    8.3782E-04   4.9113E-04  -1.8723E-05   2.5269E-05
A10 -4.5547E-07  -5.0387E-04  -1.1008E-04   8.4042E-06  -6.3001E-07
A12                            1.6970E-05  -5.0810E-07 
第23面       第24面       第25面       第28面       第29面
K   0.000         0.000        0.000         0.000       0.000 
A4  -7.0594E-03   6.9260E-03   6.7645E-03   2.4508E-03  -1.0430E-03
A6  -7.3357E-05  -3.0090E-04  -2.1169E-04  -5.6239E-04  -2.6646E-04
A8  1.5009E-05   -1.2001E-05  -8.3369E-06   7.8240E-05   1.2515E-04
A10 -4.2664E-07   1.2709E-06   1.0762E-06  -4.9246E-06  -1.3605E-05
A12              -2.6653E-08  -2.3995E-08   2.0634E-07   6.8232E-07
主レンズ                    
第34面        第35面      第36面      第37面      第38面
K   -0.025        -29.823     -30.000      -6.295        30.000 
A4  5.4737E-03    2.9864E-02  -4.4484E-02   4.7985E-02  -1.2218E-01
A6  1.8802E-03    3.6878E-02   1.4564E-01   5.1872E-02  -2.6536E-02
A8  -3.1928E-03  -4.3208E-02  -1.2728E-01  -1.8852E-02   6.2354E-02
A10 1.7037E-02   -2.3999E-02  -3.2604E-02  -6.3501E-03   2.0372E-02
A12 -2.1868E-02   2.7062E-02   7.7790E-02  -4.1075E-03  -1.8554E-02
A14 8.4210E-03                -1.8876E-02   2.2070E-02  -6.3386E-04
第39面       第40面      第41面       第42面       第43面
K   30.000        7.826       -4.059       -30.000      -12.523 
A4  -1.0027E-01  -3.7724E-04  -4.3185E-02  -1.4223E-02  -3.6784E-02
A6  3.0627E-03    2.0421E-02   5.1578E-02  -1.5539E-03   7.2592E-03
A8  1.9106E-02   -1.1047E-03  -1.1842E-02   2.1085E-03  -1.4441E-03
A10 1.6054E-02   -1.6207E-03   6.5318E-04  -1.9864E-04   1.4444E-04
A12 -2.2771E-03   2.6445E-04   1.9046E-05  -2.5376E-05  -5.0337E-06
A14 -2.7944E-03                             2.8800E-06  3.2341E-08
テレコンバータレンズと主レンズの合成光学系における値
焦点距離    15.15
Fナンバー   4.50
半画角      11.1
像高        3.02
レンズ全長  56.59 
バックフォーカス    1.24
ただし、レンズ全長は第1レンズ被写体側面から主レンズ近軸像点までの距離
主レンズの焦点距離  4.33mm
コンバータ倍率      3.50
【００９３】
図２２は実施例１０の収差図（球面収差（ａ）、非点収差（ｂ）、歪曲収差（ｃ））である。収差図はコンバータレンズと主レンズを組み合わせた状態のものであり、本実施例は図２３に示す収差特性を有する主レンズと組み合わされている。
【００９４】
第１の正レンズ群ＧＲ１（＋）、負レンズ群ＧＲ（−）、第２の正レンズ群ＧＲ２（＋）のいずれかを一体に光軸方向に移動させることによって、無限遠から有限距離への合焦を行うことが出来る。ただし、レンズ移動によりピントが変化するのであれば、それ以外のレンズ群移動であっても良い。又、実施例７のテレコンバータレンズでは、倍率が３．５０であり、１次結像点位置は第９レンズＬ９の主レンズ側面より主レンズ側に、４．３８ｍｍの位置である（近軸値）。
【００９５】
各条件式に対応する各実施例の値を表１１に示す。
【００９６】
【表１１】
2013154122.tif 000004
【００９７】
本発明は、明細書に記載の実施形態、実施例に限定されるものではなく、他の実施形態・実施例・変形例を含むことは、本明細書に記載された実施形態や実施例や技術思想から本分野の当業者にとって明らかである。例えば、実質的にパワーを持たないダミーレンズを更に付与した場合でも本発明の適用範囲内である。
【符号の説明】
【００９８】
ＢＤ ボディ
ＢＸ 筐体
ＣＬ コンバータレンズ
ＭＬ 主レンズ
ＳＦ 携帯端末
【図１】
2013154122.tif 000005
【図２】
2013154122.tif 000006
【図３】
2013154122.tif 000007
【図４】
2013154122.tif 000008
【図５】
2013154122.tif 000009
【図６】
2013154122.tif 000010
【図７】
2013154122.tif 000011
【図８】
2013154122.tif 000012
【図９】
2013154122.tif 000013
【図１０】
2013154122.tif 000014
【図１１】
2013154122.tif 000015
【図１２】
2013154122.tif 000016
【図１３】
2013154122.tif 000017
【図１４】
2013154122.tif 000018
【図１５】
2013154122.tif 000019
【図１６】
2013154122.tif 000020
【図１７】
2013154122.tif 000021
【図１８】
2013154122.tif 000022
【図１９】
2013154122.tif 000023
【図２０】
2013154122.tif 000024
【図２１】
2013154122.tif 000025
【図２２】
2013154122.tif 000026
【図２３】
2013154122.tif 000027
【国際調査報告】
2013154122.tif 000028
2013154122.tif 000029
2013154122.tif 000030
2013154122.tif 000031